(57)【要約】本発明は、線維芽細胞成長因子レセプター（ＦＧＦＲ）との親和性またはＨＣＶとの結合に対する遮断能を測定して、試験化合物を選択または判定する、Ｃ型肝炎ウイルス（ＨＣＶ）の細胞感染を阻害する化合物のスクリーニング方法及び同定方法に関する。【特許請求の範囲】
【請求項１】
（ａ）ＨＣＶの表面タンパク質との結合能及び／又はＨＣＶの細胞取り込み能を有する線維芽細胞成長因子レセプター（ＦＧＦＲ）と試験化合物との親和性を測定する工程；並びに
（ｂ）該親和性を有する試験化合物を選択する工程
を含む、Ｃ型肝炎ウイルス（ＨＣＶ）の細胞感染を阻害する化合物のスクリーニング方法。
【請求項２】
更に、
（ｃ）該選択された試験化合物の存在下及び非存在下でＨＣＶの細胞感染の程度を測定する工程；並びに
（ｄ）両測定値を比較する工程
を含む、請求項１に記載の方法。
【請求項３】
ＨＣＶの細胞感染の程度を、ＨＣＶのシュードタイプウイルスを用いて測定する、請求項２に記載の方法。
【請求項４】
前記ＦＧＦＲが、ＦＧＦＲ−４である、請求項１乃至３のいずれかに記載の方法。
【請求項５】
前記ＦＧＦＲが、ＦＧＦＲ−５である、請求項１乃至３のいずれかに記載の方法。
【請求項６】
ＦＧＦＲを有する細胞の膜画分を用いる、請求項１乃至５のいずれかに記載の方法。
【請求項７】
ＦＧＦＲを強制発現させた細胞を用いる、請求項１乃至５のいずれかに記載の方法。
【請求項８】
可溶化させたＦＧＦＲを用いる、請求項１乃至５のいずれかに記載の方法。
【請求項９】
前記親和性が、ＦＧＦＲのＦＧＦ結合部位と試験化合物との結合性である、請求項１乃至５のいずれかに記載の方法。
【請求項１０】
（ａ）ＨＣＶの表面タンパク質との結合能を有する線維芽細胞成長因子レセプター（ＦＧＦＲ）とＨＣＶとの結合に対する、試験化合物の遮断能を測定する工程；並びに
（ｂ）該遮断能を有する試験化合物を選択する工程
を含む、Ｃ型肝炎ウイルス（ＨＣＶ）の細胞感染を阻害する化合物のスクリーニング方法。
【請求項１１】
更に、
（ｃ）該選択された試験化合物の存在下及び非存在下でＨＣＶの細胞感染の程度を測定する工程；並びに
（ｄ）両測定値を比較する工程
を含む、請求項１０に記載の方法。
【請求項１２】
ＨＣＶの細胞感染の程度を、ＨＣＶのシュードタイプウイルスを用いて測定する、請求項１１に記載の方法。
【請求項１３】
前記ＦＧＦＲが、ＦＧＦＲ−４である、請求項１０乃至１２のいずれかに記載の方法。
【請求項１４】
前記ＦＧＦＲが、ＦＧＦＲ−５である、請求項１０乃至１２のいずれかに記載の方法。
【請求項１５】
ＦＧＦＲを有する細胞の膜画分を用いる、請求項１０乃至１４のいずれかに記載の方法。
【請求項１６】
ＦＧＦＲを強制発現させた細胞を用いる、請求項１０乃至１４のいずれかに記載の方法。
【請求項１７】
可溶化させたＦＧＦＲを用いる、請求項１０乃至１４のいずれかに記載の方法。
【請求項１８】
前記遮断能が、ＦＧＦＲのＦＧＦ結合部位とＨＣＶとの結合に対する試験化合物の遮断能である、請求項１０乃至１４のいずれかに記載の方法。
【請求項１９】
ＦＧＦＲを含有する脂質二重膜および／またはＦＧＦＲを発現する細胞、並びにＨＣＶのシュードタイプウイルスを含んでなる、ＨＣＶの細胞感染を阻害する化合物のスクリーニング用キット。
【請求項２０】
（ａ）ＨＣＶの表面タンパク質との結合能及び／又はＨＣＶの細胞取り込み能を有する線維芽細胞成長因子レセプター（ＦＧＦＲ）と試験化合物との親和性を測定する工程；並びに
（ｂ）該親和性を有する試験化合物を判定する工程
を含む、Ｃ型肝炎ウイルス（ＨＣＶ）の細胞感染を阻害する化合物の同定方法。
【請求項２１】
更に、
（ｃ）該判定された試験化合物の存在下及び非存在下でＨＣＶの細胞感染の程度を測定する工程；並びに
（ｄ）両測定値を比較する工程
を含む、請求項２０に記載の方法。
【請求項２２】
ＨＣＶの細胞感染の程度を、ＨＣＶのシュードタイプウイルスを用いて測定する、請求項２１に記載の方法。
【請求項２３】
前記ＦＧＦＲが、ＦＧＦＲ−４である、請求項２０乃至２２のいずれかに記載の方法。
【請求項２４】
前記ＦＧＦＲが、ＦＧＦＲ−５である、請求項２０乃至２２のいずれかに記載の方法。
【請求項２５】
ＦＧＦＲを有する細胞の膜画分を用いる、請求項２０乃至２４のいずれかに記載の方法。
【請求項２６】
ＦＧＦＲを強制発現させた細胞を用いる、請求項２０乃至２４のいずれかに記載の方法。
【請求項２７】
可溶化させたＦＧＦＲを用いる、請求項２０乃至２４のいずれかに記載の方法。
【請求項２８】
前記親和性が、ＦＧＦＲのＦＧＦ結合部位と試験化合物との結合性である、請求項２０乃至２４のいずれかに記載の方法。
【請求項２９】
（ａ）ＨＣＶの表面タンパク質との結合能を有する線維芽細胞成長因子レセプター（ＦＧＦＲ）とＨＣＶとの結合に対する、試験化合物の遮断能を測定する工程；並びに
（ｂ）該遮断能を有する試験化合物を判定する工程
を含む、Ｃ型肝炎ウイルス（ＨＣＶ）の細胞感染を阻害する化合物の同定方法。
【請求項３０】
更に、
（ｃ）該判定された試験化合物の存在下及び非存在下でＨＣＶの細胞感染の程度を測定する工程；並びに
（ｄ）両測定値を比較する工程
を含む、請求項２９に記載の方法。
【請求項３１】
ＨＣＶの細胞感染の程度を、ＨＣＶのシュードタイプウイルスを用いて測定する、請求項３０に記載の方法。
【請求項３２】
前記ＦＧＦＲが、ＦＧＦＲ−４である、請求項２９乃至３１のいずれかに記載の方法。
【請求項３３】
前記ＦＧＦＲが、ＦＧＦＲ−５である、請求項２９乃至３１のいずれかに記載の方法。
【請求項３４】
ＦＧＦＲを有する細胞の膜画分を用いる、請求項２９乃至３３のいずれかに記載の方法。
【請求項３５】
ＦＧＦＲを強制発現させた細胞を用いる、請求項２９乃至３３のいずれかに記載の方法。
【請求項３６】
可溶化させたＦＧＦＲを用いる、請求項２９乃至３３のいずれかに記載の方法。
【請求項３７】
前記遮断能が、ＦＧＦＲのＦＧＦ結合部位とＨＣＶとの結合に対する試験化合物の遮断能である、請求項２９乃至３３のいずれかに記載の方法。
【請求項３８】
ＦＧＦＲを含有する脂質二重膜および／またはＦＧＦＲを発現する細胞、並びにＨＣＶのシュードタイプウイルスを含有してなる、ＨＣＶの細胞感染を阻害する化合物の同定用キット。
【請求項３９】
ＨＣＶの表面タンパク質との結合能及び／又はＨＣＶの細胞取り込み能を有するＦＧＦＲとの親和性を有する化合物を含有してなる、ＨＣＶの細胞感染阻害剤。
【請求項４０】
前記ＦＧＦＲが、ＦＧＦＲ−４である、請求項３９に記載の阻害剤。
【請求項４１】
前記ＦＧＦＲが、ＦＧＦＲ−５である、請求項３９に記載の阻害剤。
【請求項４２】
前記化合物が、低分子化合物である、請求項３９乃至４１のいずれかに記載の阻害剤。
【請求項４３】
前記化合物が、ＦＧＦＲに対するリガンドである、請求項３９乃至４１のいずれかに記載の阻害剤。
【請求項４４】
前記ＦＧＦＲに対するリガンドが、ＦＧＦ又はそのフラグメントである、請求項４３に記載の阻害剤。
【請求項４５】
前記ＦＧＦＲに対するリガンドが、ＦＧＦＲ−４に対する抗体である、請求項４３に記載の阻害剤。
【請求項４６】
前記ＦＧＦＲに対するリガンドが、ＦＧＦＲ−５に対する抗体である、請求項４３に記載の阻害剤。
【請求項４７】
前記親和性が、ＦＧＦＲのＦＧＦ結合部位と化合物との結合性である、請求項３９乃至４１のいずれかに記載の阻害剤。
【請求項４８】
ＨＣＶの表面タンパク質との結合能及び／又はＨＣＶの細胞取り込み能を有するＦＧＦＲに基づく可溶化させたＦＧＦＲを含有してなる、ＨＣＶの細胞感染阻害剤。
【請求項４９】
前記可溶化させたＦＧＦＲが、可溶化させたＦＧＦＲ−４である、請求項４８に記載のＨＣＶの細胞感染阻害剤。
【請求項５０】
前記可溶化させたＦＧＦＲが、可溶化させたＦＧＦＲ−５である、請求項４８に記載のＨＣＶの細胞感染阻害剤。
【請求項５１】
ＨＣＶの表面タンパク質との結合能を有するＦＧＦＲとＨＣＶとの結合に対する遮断能を有する化合物を含有してなる、ＨＣＶの細胞感染阻害剤。
【請求項５２】
前記ＦＧＦＲが、ＦＧＦＲ−４である、請求項５１に記載の阻害剤。
【請求項５３】
前記ＦＧＦＲが、ＦＧＦＲ−５である、請求項５１に記載の阻害剤。
【請求項５４】
前記化合物が、低分子化合物である、請求項５１乃至５３のいずれかに記載の阻害剤。
【請求項５５】
前記化合物が、ＦＧＦＲに対するリガンドである、請求項５１乃至５３のいずれかに記載の阻害剤。
【請求項５６】
前記ＦＧＦＲに対するリガンドが、ＦＧＦ又はそのフラグメントである、請求項５５に記載の阻害剤。
【請求項５７】
前記ＦＧＦＲに対するリガンドが、ＦＧＦＲ−４に対する抗体である、請求項５５に記載の阻害剤。
【請求項５８】
前記ＦＧＦＲに対するリガンドが、ＦＧＦＲ−５に対する抗体である、請求項５５に記載の阻害剤。
【請求項５９】
前記化合物が、可溶化させたＦＧＦＲである、請求項５１乃至５３のいずれかに記載の阻害剤。
【請求項６０】
前記可溶化させたＦＧＦＲが、可溶化させたＦＧＦＲ−４である、請求項５９に記載の阻害剤。
【請求項６１】
前記可溶化させたＦＧＦＲが、可溶化させたＦＧＦＲ−５である、請求項５９に記載の阻害剤。
【請求項６２】
前記遮断能が、ＦＧＦＲのＦＧＦ結合部位とＨＣＶとの結合に対する化合物の遮断能である、請求項５１乃至５３のいずれかに記載の阻害剤。
【請求項６３】
ＨＣＶの細胞感染阻害を必要とする患者に、ＨＣＶの表面タンパク質との結合能及び／又はＨＣＶの細胞取り込み能を有するＦＧＦＲと親和性を有する化合物の治療的有効量を投与することを含む、ＨＣＶの細胞感染阻害方法。
【請求項６４】
ＨＣＶの細胞感染阻害を必要とする患者に、ＨＣＶの表面タンパク質との結合能及び／又はＨＣＶの細胞取り込み能を有するＦＧＦＲに基づく可溶化させたＦＧＦＲの治療的有効量を投与することを含む、ＨＣＶの細胞感染阻害方法。
【請求項６５】
ＨＣＶの細胞感染阻害を必要とする患者に、ＨＣＶの表面タンパク質との結合能を有するＦＧＦＲとＨＣＶとの結合に対する遮断能を有する化合物の治療的有効量を投与することを含む、ＨＣＶの細胞感染阻害方法。
【請求項６６】
ＨＣＶの細胞感染阻害剤を製造するための、ＨＣＶの表面タンパク質との結合能及び／又はＨＣＶの細胞取り込み能を有するＦＧＦＲと親和性を有する化合物の使用。
【請求項６７】
ＨＣＶの細胞感染阻害剤を製造するための、ＨＣＶの表面タンパク質との結合能及び／又はＨＣＶの細胞取り込み能を有するＦＧＦＲに基づく可溶化させたＦＧＦＲの使用。
【請求項６８】
ＨＣＶの細胞感染阻害剤を製造するための、ＨＣＶの表面タンパク質との結合能を有するＦＧＦＲとＨＣＶとの結合に対する遮断能を有する化合物の使用。
【発明の詳細な説明】
【技術分野】  本発明は、新規作用機序でＣ型肝炎ウイルス（ＨＣＶ）の細胞感染を阻害する化合物のスクリーニング方法及び同定方法に関する。本発明はまた、このスクリーニング方法または同定方法により得られ得る、ＨＣＶの細胞感染を阻害する化合物を含有してなる該ウイルスの細胞感染阻害剤に関する。
【背景技術】  １９８９年、輸血後の非Ａ非Ｂ型肝炎の主要な原因ウイルスが発見され、Ｃ型肝炎ウイルス（ＨＣＶ）と名付けられた。現在では、Ａ型、Ｂ型、Ｃ型の他、数種の肝炎ウイルスが発見されており、ＨＣＶにより引き起こされる肝炎がＣ型肝炎と呼ばれている。ＨＣＶ感染患者は、全世界の人口の数％にも及ぶと推定されており、その感染は長期慢性化する特徴を有する。Ｃ型肝炎はまた、我が国の国民病でもあり、キャリアの発症予防やウイルスの生体からの積極的な排除法の確立が強く望まれている。
ＨＣＶは、エンベロープを有するＲＮＡウイルスであり、そのゲノムは一本鎖プラス鎖ＲＮＡで、フラビウイルス科のＨｅｐａｃｉｖｉｒｕｓ属に分類される（Ｉｎｔｅｒｎａｔｉｏｎａｌ  Ｕｎｉｏｎ  ｏｆ  Ｍｉｃｒｏｂｉｏｌｏｇｉｃａｌ  ＳｏｃｉｅｔｉｅｓのＴｈｅ  Ｉｎｔｅｒｎａｔｉｏｎａｌ  Ｃｏｍｍｉｔｔｅｅ  ｏｎ  Ｔａｘｏｎｏｍｙ  ｏｆ  Ｖｉｒｕｓｅｓにより分類される）。同じ肝炎ウイルスであっても、例えば、ＤＮＡウイルスであるＢ型肝炎ウイルス（ＨＢＶ）は、免疫能の未熟な新生児、乳幼児期以外では、多くの場合、免疫機構により排除され、一部の人が急性肝炎を発症する。これに対して、ＨＣＶは、未だ明らかではない原因により宿主の免疫機構を回避するために、免疫機構の発達した大人が感染した場合でも、持続感染に移行することが多い。
ＨＣＶの持続感染に伴い慢性肝炎が引き起こされると、その後、高い確率で、肝硬変、肝ガンへと進行し、手術でガンを摘出できたとしても、非ガン部で引き続き起こる炎症のために肝ガンを再発する患者も多いことが知られている。また、ＨＣＶ感染が慢性蕁麻疹、扁平苔癬、クリオグロブリン血症性紫斑等の皮膚疾患に関与するとの報告もある（南ら，日皮会誌，ｖｏｌ．１１１（７），ｐｐ．１０７５−８１，２００１を参照）。
ＨＣＶのエンベロープにはウイルス由来の構造タンパク質であるＥ１およびＥ２が存在し、これらＥ１およびＥ２タンパク質はＨＣＶの細胞への感染、すなわちＨＣＶの細胞表面への接着から細胞内への侵入に至る経路におけるＨＣＶ側の介在分子と考えられている（Ｋ．Ｗａｔａｓｈｉら，Ｃａｎｃｅｒ  Ｓｃｉｅｎｃｅ，ｖｏｌ．９４（１１），ｐｐ．９３７−９４３，２００３を参照）。
一方、細胞側では、低比重リポタンパク質レセプター（ＬＤＬＲ（ｌｏｗ  ｄｅｎｓｉｔｙ  ｌｉｐｏｐｒｏｔｅｉｎ  ｒｅｃｅｐｔｏｒ））、スカベンジャーレセプター−ＢＩ（ＳＲＢＩ（ｓｃａｖｅｎｇｅｒ  ｒｅｃｅｐｔｏｒ  ｃｌａｓｓ  Ｂ  ｔｙｐｅ  Ｉ））、樹状細胞特異的細胞接着分子−３捕捉性ノンインテグリン（ＤＣ−ＳＩＧＮ（ｄｅｎｄｒｉｔｉｃ  ｃｅｌｌ−ｓｐｅｃｉｆｉｃ  ｉｎｔｅｒｃｅｌｌｕｌａｒ  ａｄｈｅｓｉｏｎ  ｍｏｌｅｃｕｌｅ−３−ｇｒａｂｂｉｎｇ  ｎｏｎｉｎｔｅｇｒｉｎ）；ＣＤ２０９ともいう）、肝臓又はリンパ節特異的細胞接着分子−３捕捉性ノンインテグリン（Ｌ−ＳＩＧＮ（ｌｉｖｅｒ  ｏｒ  ｌｙｍｐｈｎｏｄｅ−ｓｐｅｃｉｆｉｃ  ｉｎｔｅｒｃｅｌｌｕｌａｒ  ａｄｈｅｓｉｏｎ  ｍｏｌｅｃｕｌｅ−３−ｇｒａｂｂｉｎｇ  ｎｏｎｉｎｔｅｇｒｉｎ）；ＣＤ２０９Ｌともいう）およびテトラスパニンＣＤ８１が、それぞれＨＣＶのエンベロープタンパク質と結合することが報告され、これらのタンパク質がＨＣＶの感染において細胞側のレセプターとしての機能を果たす可能性が示唆されている（例えば、Ｖ．Ｒａｃａｎｅｌｌｉら，Ｔｒｅｎｄｓ  ｉｎ  Ｉｍｍｕｎｏｌｏｇｙ，ｖｏｌ．２４（８），ｐｐ．４５６−４６４，２００３年；Ｐ．Ｐｉｌｅｒｉら，Ｓｃｉｅｎｃｅ，ｖｏｌ．２８２，ｐｐ．９３８−９４１，１９９８を参照）。しかし、上記以外のレセプター蛋白質の存在やＨＣＶの細胞感染（細胞接着および細胞内侵入）メカニズムについてはよく知られていない。
線維芽細胞成長因子レセプター（ＦＧＦＲ）は、これまでに２３種が見つかっている線維芽細胞成長因子（ＦＧＦ）リガンドと共同して、初期発生や臓器形成を始めとした多彩な生体現象に関与すると言われている（例えば、Ｘ．Ｃｏｕｍｏｕｌら，Ｂｉｒｔｈ  Ｄｅｆｅｃｔｓ  Ｒｅｓｅａｒｃｈ，（ｐａｒｔ  Ｃ），ｖｏｌ．６９，ｐｐ．２８６−３０４，２００３；Ｂ．Ｒｅｕｓｓら、Ｃｅｌｌ  ａｎｄ  Ｔｉｓｓｕｅ  Ｒｅｓｅａｒｃｈ，ｖｏｌ．３１３，ｐｐ．１３９−１５７，２００３を参照）。肝臓におけるＦＧＦおよびＦＧＦＲの機能に関する知見としては、初期発生過程での関連を示唆するものが種々存在し、例えば、心性中胚葉と前腸とを共培養させて誘導される前腸から肝前駆細胞への分化において中胚葉から産生されるＦＧＦ−１およびＦＧＦ−２が分化誘導のシグナル分子として働くことや、マウス初期胚の発生途上の肝においてリン酸化ＦＧＦＲが存在することが報告されている（例えば、Ｊ．Ｊｕｎｇら、Ｓｃｉｅｎｃｅ，ｖｏｌ．２８４，ｐｐ．１９９８−２００３，１９９９；ＧＪ．Ｄａｒｌｉｎｇｔｏｎ，Ｃｕｒｒｅｎｔ  Ｏｐｉｎｉｏｎ  ｉｎ  Ｃｅｌｌ  Ｂｉｏｌｏｇｙ，ｖｏｌ．１１，ｐｐ．６７８−６８２，１９９９；ＳＳ．Ｓｅｋｈｏｎら、Ａｍｅｒｉｃａｎ  Ｊｏｕｒｎａｌ  ｏｆ  Ｐａｔｈｏｌｏｇｙ，ｖｏｌ．１６４（６），ｐｐ．２２２９−２２４０，２００４を参照）。また、ＦＧＦＲ−４は、成熟した肝細胞において発現しており、このＦＧＦＲ−４を発現させないようにすると、胆嚢の枯渇、ならびに胆汁酸の蓄積および分泌増大に代表される肝機能障害等が起こるとの報告もある（例えば、Ｘ．Ｃｏｕｍｏｕｌら，Ｂｉｒｔｈ  Ｄｅｆｅｃｔｓ  Ｒｅｓｅａｒｃｈ，（ｐａｒｔ  Ｃ），ｖｏｌ．６９，ｐｐ．２８６−３０４，２００３を参照）。しかしながら、ＦＧＦＲがＨＣＶの細胞感染に関与するとの報告は今まで全くなされていなかった。
現在、Ｃ型肝炎の有効な治療方法の確立が望まれており、その中でも、抗炎症剤により炎症を抑える対症療法とは別に、炎症を引き起こさない程度にＨＣＶを減らす或いはＨＣＶを根絶させる薬剤の開発が強く望まれている。そのような状況下にあって、ＨＣＶの細胞への感染を阻害する作用を有する薬剤は、宿主細胞に対して感染、複製、出芽を経て再び感染を繰り返すＨＣＶが、結果として増殖するのを抑制できることから、有望な薬剤となり得ると期待されている。しかし、これまでＨＣＶの細胞培養系がなかったことから、信頼のできる細胞培養系の確立がＨＣＶ研究における最重要課題であった。
本発明者らは、ＨＣＶの細胞感染の初期過程を解析するために、ＨＣＶのエンベロープタンパク質で粒子表面が被包され、且つ細胞に感染するとレポーター遺伝子を発現するように設計されたシュードタイプＨＣＶを作製して、高感度な細胞感染アッセイ系を構築した（Ｙ．Ｍａｔｓｕｕｒａら，Ｖｉｒｏｌｏｇｙ，ｖｏｌ．２８６，ｐｐ．２６３−２７５，２００１を参照）。さらに、このアッセイ系を用いて、ＨＣＶが細胞のレセプタータンパク質を介したエンドサイト−シスにより細胞内に侵入すること、細胞感染にはＨＣＶの２つのエンベロープタンパク質が必須であることを見出した（同上）。
【発明の開示】
従って、本発明は、ＨＣＶの細胞感染に必要な新規膜レセプタータンパク質および該タンパク質を介した細胞感染メカニズムを解明し、新規作用機序でＨＣＶの細胞感染を阻害し得る医薬を開発するために有用なスクリーニング方法及び同定方法を提供することを目的とする。
本発明者らは、ＨＣＶの細胞感染メカニズムについて、ＨＣＶのシュードタイプウイルスを用いて鋭意研究する中で、（ｉ）線維芽細胞成長因子レセプター（ＦＧＦＲ）を強制発現させた細胞においてＨＣＶのシュードタイプウイルスの感染性が増大すること、（ｉｉ）ＦＧＦＲを強制発現させた細胞において、線維芽細胞成長因子（ＦＧＦ）がウイルスの細胞感染に対して阻害作用を示すことを見出し、ＨＣＶの細胞への接着から細胞内への侵入に至る初期感染過程において、ＦＧＦＲがＨＣＶレセプターとして機能していることを発見した。
さらに本発明者らは、鋭意研究を続ける中で、ＦＧＦＲファミリーのメンバーの中で、（ｉ）ＦＧＦＲ−４が、主に、ＨＣＶウイルスの表面タンパク質との結合に関与すること、（ｉｉ）ＦＧＦＲ−５が、主に、ＨＣＶの細胞内への取り込みに関与することを示唆する結果を得た。
以上の知見より、本発明者は、ＦＧＦＲとＨＣＶとの間の相互作用を阻害することによってＨＣＶの細胞感染を阻害し得る、新規作用機序の医薬を開発するために、ＦＧＦＲを標的タンパク質として化合物のスクリーニングまたは同定に利用することを着想し、ＦＧＦＲを発現する細胞、その膜画分若しくは可溶化させたＦＧＦＲを用いた、ＦＧＦＲと親和性を有する化合物またはＦＧＦＲとＨＣＶとの結合に対する遮断能を有する化合物の選択または判定、および該化合物の存在下におけるＨＣＶのシュードタイプウイルスの細胞内取り込みの検出を逐次もしくは同時に行うことによる、スクリーニングまたは同定のためのアッセイ系を構築して、本発明を完成するに至った。
すなわち、本発明は、以下の通りである：
（Ａ１）  線維芽細胞成長因子レセプター（ＦＧＦＲ）との親和性を指標として、試験化合物をスクリーニングする工程を有することを特徴とする、Ｃ型肝炎ウイルス（ＨＣＶ）の細胞感染を阻害し得る化合物のスクリーニング方法。
（Ａ２）  前記ＦＧＦＲが、ＨＣＶの表面タンパク質との結合能を有する、（Ａ１）に記載の方法。
（Ａ３）  前記ＦＧＦＲが、ＦＧＦＲ−４である、（Ａ２）に記載の方法。
（Ａ４）  前記ＦＧＦＲが、ＦＧＦＲ−５である、（Ａ２）に記載の方法。
（Ａ５）  前記ＦＧＦＲが、ＨＣＶの細胞取り込み能を有する、（Ａ１）に記載の方法。
（Ａ６）  前記ＦＧＦＲが、ＦＧＦＲ−５である、（Ａ５）に記載の方法。
（Ａ７）  ＦＧＦＲを有する細胞の膜画分を用いる、（Ａ１）乃至（Ａ６）のいずれかに記載の方法。
（Ａ８）  ＦＧＦＲを強制発現させた細胞を用いる、（Ａ１）乃至（Ａ６）のいずれかに記載の方法。
（Ａ９）  可溶化させたＦＧＦＲを用いる、（Ａ１）乃至（Ａ６）のいずれかに記載の方法。
（Ａ１０）  以下の工程を包含する、（Ａ１）乃至（Ａ６）のいずれかに記載の方法：
（ａ）ＦＧＦＲとの親和性を指標として、試験化合物をスクリーニングする工程；および
（ｂ）工程（ａ）においてスクリーニングされた、ＦＧＦＲと親和性を有する化合物の存在下で、ＨＣＶの細胞感染の程度を評価する工程。
（Ａ１１）  ＨＣＶの細胞感染の程度を、ＨＣＶのシュードタイプウイルスを用いて評価する、（Ａ１０）に記載の方法。
（Ａ１２）  前記親和性が、ＦＧＦＲのＦＧＦ結合部位と、試験化合物との結合性である、（Ａ１）乃至（Ａ６）のいずれかに記載の方法。
（Ａ１３）  ＦＧＦＲを含有する脂質二重膜および／またはＦＧＦＲを発現する細胞、並びにＨＣＶのシュードタイプウイルスを含んでなる、ＨＣＶの細胞感染を阻害し得る化合物のスクリーニング用キット。
（Ａ１４）  ＦＧＦＲと親和性を有する化合物を含有してなるＨＣＶの細胞感染阻害剤。
（Ａ１５）  前記親和性が、ＦＧＦＲのＦＧＦ結合部位と、化合物との結合性である、（Ａ１４）に記載の阻害剤。
（Ａ１６）  可溶化させたＦＧＦＲを含有してなるＨＣＶの細胞感染阻害剤。
（Ａ１７）  前記可溶化させたＦＧＦＲが、可溶化させたＦＧＦＲ−４である、（Ａ１６）に記載のＨＣＶの細胞感染阻害剤。
（Ａ１８）  前記可溶化させたＦＧＦＲが、可溶化させたＦＧＦＲ−５である、（Ａ１６）に記載のＨＣＶの細胞感染阻害剤。
（１）  （ａ）ＨＣＶの表面タンパク質との結合能及び／又はＨＣＶの細胞取り込み能を有する線維芽細胞成長因子レセプター（ＦＧＦＲ）と試験化合物との親和性を測定する工程；並びに
（ｂ）該親和性を有する試験化合物を選択する工程
を含む、Ｃ型肝炎ウイルス（ＨＣＶ）の細胞感染を阻害する化合物のスクリーニング方法。
（２）  更に、
（ｃ）該選択された試験化合物の存在下及び非存在下でＨＣＶの細胞感染の程度を測定する工程；並びに
（ｄ）両測定値を比較する工程
を含む、（１）に記載の方法。
（３）  ＨＣＶの細胞感染の程度を、ＨＣＶのシュードタイプウイルスを用いて測定する、（２）に記載の方法。
（４）  前記ＦＧＦＲが、ＦＧＦＲ−４である、（１）乃至（３）のいずれかに記載の方法。
（５）  前記ＦＧＦＲが、ＦＧＦＲ−５である、（１）乃至（３）のいずれかに記載の方法。
（６）  ＦＧＦＲを有する細胞の膜画分を用いる、（１）乃至（５）のいずれかに記載の方法。
（７）  ＦＧＦＲを強制発現させた細胞を用いる、（１）乃至（５）のいずれかに記載の方法。
（８）  可溶化させたＦＧＦＲを用いる、（１）乃至（５）のいずれかに記載の方法。
（９）  前記親和性が、ＦＧＦＲのＦＧＦ結合部位と試験化合物との結合性である、（１）乃至（５）のいずれかに記載の方法。
（１０）  （ａ）ＨＣＶの表面タンパク質との結合能を有する線維芽細胞成長因子レセプター（ＦＧＦＲ）とＨＣＶとの結合に対する、試験化合物の遮断能を測定する工程；並びに
（ｂ）該遮断能を有する試験化合物を選択する工程
を含む、Ｃ型肝炎ウイルス（ＨＣＶ）の細胞感染を阻害する化合物のスクリーニング方法。
（１１）  更に、
（ｃ）該選択された試験化合物の存在下及び非存在下でＨＣＶの細胞感染の程度を測定する工程；並びに
（ｄ）両測定値を比較する工程
を含む、（１０）に記載の方法。
（１２）  ＨＣＶの細胞感染の程度を、ＨＣＶのシュードタイプウイルスを用いて測定する、（１１）に記載の方法。
（１３）  前記ＦＧＦＲが、ＦＧＦＲ−４である、（１０）乃至（１２）のいずれかに記載の方法。
（１４）  前記ＦＧＦＲが、ＦＧＦＲ−５である、（１０）乃至（１２）のいずれかに記載の方法。
（１５）  ＦＧＦＲを有する細胞の膜画分を用いる、（１０）乃至（１４）のいずれかに記載の方法。
（１６）  ＦＧＦＲを強制発現させた細胞を用いる、（１０）乃至（１４）のいずれかに記載の方法。
（１７）  可溶化させたＦＧＦＲを用いる、（１０）乃至（１４）のいずれかに記載の方法。
（１８）  前記遮断能が、ＦＧＦＲのＦＧＦ結合部位とＨＣＶとの結合に対する試験化合物の遮断能である、（１０）乃至（１４）のいずれかに記載の方法。
（１９）  ＦＧＦＲを含有する脂質二重膜および／またはＦＧＦＲを発現する細胞、並びにＨＣＶのシュードタイプウイルスを含んでなる、ＨＣＶの細胞感染を阻害する化合物のスクリーニング用キット。
（２０）  （ａ）ＨＣＶの表面タンパク質との結合能及び／又はＨＣＶの細胞取り込み能を有する線維芽細胞成長因子レセプター（ＦＧＦＲ）と試験化合物との親和性を測定する工程；並びに
（ｂ）該親和性を有する試験化合物を判定する工程
を含む、Ｃ型肝炎ウイルス（ＨＣＶ）の細胞感染を阻害する化合物の同定方法。
（２１）  更に、
（ｃ）該判定された試験化合物の存在下及び非存在下でＨＣＶの細胞感染の程度を測定する工程；並びに
（ｄ）両測定値を比較する工程
を含む、（２０）に記載の方法。
（２２）  ＨＣＶの細胞感染の程度を、ＨＣＶのシュードタイプウイルスを用いて測定する、（２１）に記載の方法。
（２３）  前記ＦＧＦＲが、ＦＧＦＲ−４である、（２０）乃至（２２）のいずれかに記載の方法。
（２４）  前記ＦＧＦＲが、ＦＧＦＲ−５である、（２０）乃至（２２）のいずれかに記載の方法。
（２５）  ＦＧＦＲを有する細胞の膜画分を用いる、（２０）乃至（２４）のいずれかに記載の方法。
（２６）  ＦＧＦＲを強制発現させた細胞を用いる、（２０）乃至（２４）のいずれかに記載の方法。
（２７）  可溶化させたＦＧＦＲを用いる、（２０）乃至（２４）のいずれかに記載の方法。
（２８）  前記親和性が、ＦＧＦＲのＦＧＦ結合部位と試験化合物との結合性である、（２０）乃至（２４）のいずれかに記載の方法。
（２９）  （ａ）ＨＣＶの表面タンパク質との結合能を有する線維芽細胞成長因子レセプター（ＦＧＦＲ）とＨＣＶとの結合に対する、試験化合物の遮断能を測定する工程；並びに
（ｂ）該遮断能を有する試験化合物を判定する工程
を含む、Ｃ型肝炎ウイルス（ＨＣＶ）の細胞感染を阻害する化合物の同定方法。
（３０）  更に、
（ｃ）該判定された試験化合物の存在下及び非存在下でＨＣＶの細胞感染の程度を測定する工程；並びに
（ｄ）両測定値を比較する工程
を含む、（２９）に記載の方法。
（３１）  ＨＣＶの細胞感染の程度を、ＨＣＶのシュードタイプウイルスを用いて測定する、（３０）に記載の方法。
（３２）  前記ＦＧＦＲが、ＦＧＦＲ−４である、（２９）乃至（３１）のいずれかに記載の方法。
（３３）  前記ＦＧＦＲが、ＦＧＦＲ−５である、（２９）乃至（３１）のいずれかに記載の方法。
（３４）  ＦＧＦＲを有する細胞の膜画分を用いる、（２９）乃至（３３）のいずれかに記載の方法。
（３５）  ＦＧＦＲを強制発現させた細胞を用いる、（２９）乃至（３３）のいずれかに記載の方法。
（３６）  可溶化させたＦＧＦＲを用いる、（２９）乃至（３３）のいずれかに記載の方法。
（３７）  前記遮断能が、ＦＧＦＲのＦＧＦ結合部位とＨＣＶとの結合に対する試験化合物の遮断能である、（２９）乃至（３３）のいずれかに記載の方法。
（３８）  ＦＧＦＲを含有する脂質二重膜および／またはＦＧＦＲを発現する細胞、並びにＨＣＶのシュードタイプウイルスを含有してなる、ＨＣＶの細胞感染を阻害する化合物の同定用キット。
（３９）  ＨＣＶの表面タンパク質との結合能及び／又はＨＣＶの細胞取り込み能を有するＦＧＦＲとの親和性を有する化合物を含有してなる、ＨＣＶの細胞感染阻害剤。
（４０）  前記ＦＧＦＲが、ＦＧＦＲ−４である、（３９）に記載の阻害剤。
（４１）  前記ＦＧＦＲが、ＦＧＦＲ−５である、（３９）に記載の阻害剤。
（４２）  前記化合物が、低分子化合物である、（３９）乃至（４１）のいずれかに記載の阻害剤。
（４３）  前記化合物が、ＦＧＦＲに対するリガンドである、（３９）乃至（４１）のいずれかに記載の阻害剤。
（４４）  前記ＦＧＦＲに対するリガンドが、ＦＧＦ又はそのフラグメントである、（４３）に記載の阻害剤。
（４５）前記ＦＧＦＲに対するリガンドが、ＦＧＦＲ−４に対する抗体である、（４３）に記載の阻害剤。
（４６）前記ＦＧＦＲに対するリガンドが、ＦＧＦＲ−５に対する抗体である、（４３）に記載の阻害剤。
（４７）前記親和性が、ＦＧＦＲのＦＧＦ結合部位と化合物との結合性である、（３９）乃至（４１）のいずれかに記載の阻害剤。
（４８）  ＨＣＶの表面タンパク質との結合能及び／又はＨＣＶの細胞取り込み能を有するＦＧＦＲに基づく可溶化させたＦＧＦＲを含有してなる、ＨＣＶの細胞感染阻害剤。
（４９）  前記可溶化させたＦＧＦＲが、可溶化させたＦＧＦＲ−４である、（４８）に記載のＨＣＶの細胞感染阻害剤。
（５０）  前記可溶化させたＦＧＦＲが、可溶化させたＦＧＦＲ−５である、（４８）に記載のＨＣＶの細胞感染阻害剤。
（５１）  ＨＣＶの表面タンパク質との結合能を有するＦＧＦＲとＨＣＶとの結合に対する遮断能を有する化合物を含有してなる、ＨＣＶの細胞感染阻害剤。
（５２）  前記ＦＧＦＲが、ＦＧＦＲ−４である、（５１）に記載の阻害剤。
（５３）  前記ＦＧＦＲが、ＦＧＦＲ−５である、（５１）に記載の阻害剤。
（５４）  前記化合物が、低分子化合物である、（５１）乃至（５３）のいずれかに記載の阻害剤。
（５５）  前記化合物が、ＦＧＦＲに対するリガンドである、（５１）乃至（５３）のいずれかに記載の阻害剤。
（５６）  前記ＦＧＦＲに対するリガンドが、ＦＧＦ又はそのフラグメントである、（５５）に記載の阻害剤。
（５７）前記ＦＧＦＲに対するリガンドが、ＦＧＦＲ−４に対する抗体である、（５５）に記載の阻害剤。
（５８）前記ＦＧＦＲに対するリガンドが、ＦＧＦＲ−５に対する抗体である、（５５）に記載の阻害剤。
（５９）  前記化合物が、可溶化させたＦＧＦＲである、（５１）乃至（５３）のいずれかに記載の阻害剤。
（６０）  前記可溶化させたＦＧＦＲが、可溶化させたＦＧＦＲ−４である、（５９）に記載の阻害剤。
（６１）  前記可溶化させたＦＧＦＲが、可溶化させたＦＧＦＲ−５である、（５９）に記載の阻害剤。
（６２）  前記遮断能が、ＦＧＦＲのＦＧＦ結合部位とＨＣＶとの結合に対する化合物の遮断能である、（５１）乃至（５３）のいずれかに記載の阻害剤。
（６３）  ＨＣＶの細胞感染阻害を必要とする患者に、ＨＣＶの表面タンパク質との結合能及び／又はＨＣＶの細胞取り込み能を有するＦＧＦＲと親和性を有する化合物の治療的有効量を投与することを含む、ＨＣＶの細胞感染阻害方法。
（６４）  ＨＣＶの細胞感染阻害を必要とする患者に、ＨＣＶの表面タンパク質との結合能及び／又はＨＣＶの細胞取り込み能を有するＦＧＦＲに基づく可溶化させたＦＧＦＲの治療的有効量を投与することを含む、ＨＣＶの細胞感染阻害方法。
（６５）  ＨＣＶの細胞感染阻害を必要とする患者に、ＨＣＶの表面タンパク質との結合能を有するＦＧＦＲとＨＣＶとの結合に対する遮断能を有する化合物の治療的有効量を投与することを含む、ＨＣＶの細胞感染阻害方法。
（６６）  ＨＣＶの細胞感染阻害剤を製造するための、ＨＣＶの表面タンパク質との結合能及び／又はＨＣＶの細胞取り込み能を有するＦＧＦＲと親和性を有する化合物の使用。
（６７）  ＨＣＶの細胞感染阻害剤を製造するための、ＨＣＶの表面タンパク質との結合能及び／又はＨＣＶの細胞取り込み能を有するＦＧＦＲに基づく可溶化させたＦＧＦＲの使用。
（６８）  ＨＣＶの細胞感染阻害剤を製造するための、ＨＣＶの表面タンパク質との結合能を有するＦＧＦＲとＨＣＶとの結合に対する遮断能を有する化合物の使用。
本発明のスクリーニング方法及び同定方法は、線維芽細胞成長因子レセプター（ＦＧＦＲ）とＣ型肝炎ウイルス（ＨＣＶ）との間の相互作用を阻害することによってＨＣＶの細胞感染を阻害し得る、新規作用機序の医薬を開発するために有用である。
【図面の簡単な説明】  図１は、ＦＧＦＲ強制発現ＣＨＯ−Ｋ１細胞に対するΔＧ／ＳＥＡＰ／ＨＣＶ  Ｅ１Ｅ２の感染性を示す。図中、横軸の「Ｒ４」はＦＧＦＲ−４強制発現ＣＨＯ−Ｋ１細胞、「Ｒ５」はＦＧＦＲ−５強制発現ＣＨＯ−Ｋ１細胞、「ｐｃＤＮＡ３．１」は、空のｐｃＤＮＡ３．１ベクターでトランスフェクションしたＣＨＯ−Ｋ１細胞を表し、縦軸は、生来のＣＨＯ−Ｋ１細胞の細胞培養上清中のＳＥＡＰ活性の相対値（Ｒｅｌａｔｉｖｅ  Ｌｉｇｈｔ  Ｕｎｉｔｓ：ＲＬＵ）を１００％とする各トランスフェクション細胞の相対ＳＥＡＰ活性（％）を表す。□バーは、ΔＧ／ＳＥＡＰ／ＨＣＶ  Ｅ１Ｅ２を接種した結果、■バーは、ΔＧ／ＳＥＡＰ／ＶＳＶ  Ｇを接種した結果を表す。
図２は、ＦＧＦＲ−４強制発現ＣＨＯ−Ｋ１細胞およびＦＧＦＲ−５強制発現ＣＨＯ−Ｋ１細胞に対するＨＣＶ−ＬＰの結合能を示す。図中、横軸の「Ｃｏｎｔｒｏｌ」は生来のＣＨＯ−Ｋ１細胞、「Ｒ４」はＦＧＦＲ−４強制発現ＣＨＯ−Ｋ１細胞、「Ｒ５」はＦＧＦＲ−５強制発現ＣＨＯ−Ｋ１細胞を表し、縦軸は、細胞に吸着したＨＣＶ−ＬＰコアタンパク質の量（ｐｇ／ｍｌ）を表す。
図３は、ＦＧＦＲ強制発現ＣＨＯ−Ｋ１細胞に対するＨＣＶの結合能を示す。図中、横軸の「Ｃｏｎｔｒｏｌ」は生来のＣＨＯ−Ｋ１細胞、「Ｒ４」はＦＧＦＲ−４強制発現ＣＨＯ−Ｋ１細胞、「Ｒ５」はＦＧＦＲ−５強制発現ＣＨＯ−Ｋ１細胞を表し、縦軸は、１ウェルあたりのＨＣＶゲノムのコピー数を表す。
図４は、ＦＧＦＲをｓｉＲＮＡによりノックダウンしたＨｕｈ７細胞に対する、ΔＧ／ＧＦＰ／ＨＣＶ  Ｅ１Ｅ２の感染性を示す。図中、横軸の「Ｃｏｎｔｒｏｌ−」はＦＧＦＲをノックダウンしないように設計したｓｉＲＮＡを用いた非ノックダウンＨｕｈ７細胞、「Ｒ４−」はＦＧＦＲ−４ノックダウンＨｕｈ７細胞、「Ｒ５−」はＦＧＦＲ−５ノックダウンＨｕｈ７細胞を表し、濃度はトランスフェクションに用いたｓｉＲＮＡの量を表す。縦軸は、ｓｉＲＮＡ非トランスフェクションＨｕｈ７細胞の感染量を１００％とする各ｓｉＲＮＡ処理細胞の相対感染率（％）を表す。□バーは、ΔＧ／ＧＦＰ／ＨＣＶ  Ｅ１Ｅ２を接種した結果、■バーは、ΔＧ／ＧＦＰ／ＶＳＶ−Ｇを接種した結果を表す。
図５は、ＨｅｐＧ２細胞へのΔＧ／ＳＥＡＰ／ＨＣＶ  Ｅ１Ｅ２の感染性に対する、種々のＦＧＦＲ／Ｆｃの影響を示す。図中、横軸は、用いたＦＧＦＲ／Ｆｃを表し、縦軸は、ΔＧ／ＳＥＡＰ／ＨＣＶ  Ｅ１Ｅ２のみを接種した細胞の感染量を１００％とする各ＦＧＦＲ／Ｆｃ処理細胞の相対感染率（％）を表す。□バーは、ΔＧ／ＳＥＡＰ／ＨＣＶ  Ｅ１Ｅ２を接種した結果、■バーは、ΔＧ／ＳＥＡＰ／ＶＳＶ  Ｇを接種した結果を表す。
図６は、ＨｅｐＧ２細胞へのΔＧ／ＳＥＡＰ／ＨＣＶ  Ｅ１Ｅ２の感染性に対する、ＦＧＦＲ−５／Ｆｃの影響を示す。Ａ：Ｐｒｅ（−１ｈｒ）は、ウイルスの細胞への接種の１時間前にＦＧＦＲ−５／Ｆｃとウイルスを混合した結果；Ｂ：Ｃｏ（０ｈｒ）は、ＦＧＦＲ−５／Ｆｃとウイルスの混合と同時に細胞へ接種した結果、そしてＣ：Ｐｏｓｔ（１ｈｒ）は、ウイルスの細胞への接種の１時間後に、ＦＧＦＲ−５／Ｆｃをウイルス接種した細胞に添加した結果を示す。図中の各グラフにおいて、横軸はＦＧＦＲ−５／Ｆｃの濃度を表す。「−●−ＨＣＶ」はΔＧ／ＳＥＡＰ／ＨＣＶ  Ｅ１Ｅ２の細胞への感染の阻害率（％）、および、「−○−ＶＳＶ」はコントロールウイルスであるΔＧ／ＳＥＡＰ／ＶＳＶ  Ｇの細胞への感染の阻害率（％）を、それぞれ、平均値±Ｓ．Ｄ．にて表す。
図７は、ＨｅｐＧ２細胞へのΔＧ／ＳＥＡＰ／ＨＣＶ  Ｅ１Ｅ２の感染性に対する、抗マウスＦＧＦＲ−５ポリクローナル抗体の影響を示す。グラフの横軸は、抗マウスＦＧＦＲ−５ポリクローナル抗体の濃度を表す。「−●−ＨＣＶ」はΔＧ／ＳＥＡＰ／ＨＣＶ  Ｅ１Ｅ２の細胞への感染の阻害率（％）、および、「−○−ＶＳＶ」はコントロールウイルスであるΔＧ／ＳＥＡＰ／ＶＳＶ  Ｇの細胞への感染の阻害率（％）を、それぞれ、平均値±Ｓ．Ｄ．にて表す。
図８は、可溶化させたＦＧＦＲ−５の、患者血漿中のＨＣＶの細胞への結合能に対する影響を示す。図の左側のグラフは、ＨｅｐＧ２細胞における結果を示す。図の右側のグラフは、Ｈｕｈ７細胞における結果を示す。横軸は、可溶化させたＦＧＦＲ−５（ＦＧＦＲ−５／Ｆｃ）の濃度を表す。縦軸は、細胞に結合したＨＣＶのＲＮＡ量を表す。
図９は、可溶化させたＦＧＦＲ−５の、ＨＣＶのシュードタイプウイルスの初代培養ヒト肝細胞への感染性に対する影響を示す。横軸は、可溶化させたＦＧＦＲ−５（ＦＧＦＲ−５／Ｆｃ）の濃度を表す。縦軸は、ΔＧ／ＳＥＡＰ／ＨＣＶ  Ｅ１Ｅ２のみを接種した細胞の感染量を１００％とする相対感染率（％）を表す。■バーは、ΔＧ／ＳＥＡＰ／ＨＣＶ  Ｅ１Ｅ２を接種した結果を表し、□バーは、ΔＧ／ＳＥＡＰ／ＶＳＶ  Ｇを接種した結果を表す。
図１０は、抗ＦＧＦＲ−５モノクローナル抗体の、ＨＣＶシュードタイプウイルスのＨｅｐＧ２細胞への感染性に対する影響を示す。横軸は、抗ＦＧＦＲ−５モノクローナル抗体の濃度を表す。縦軸は、感染阻害率（％）を表す。「−●−」は、ΔＧ／ＳＥＡＰ／ＨＣＶ  Ｅ１Ｅ２を接種した結果を表し、「−○−」は、ΔＧ／ＳＥＡＰ／ＶＳＶ  Ｇを接種した結果を表す。（Ａ）は、抗ＦＧＦＲ−５モノクローナル抗体Ｒ５Ｃ７−１０の結果を示す。（Ｂ）は、抗ＦＧＦＲ−５モノクローナル抗体Ｒ５Ｄ１４−１９の結果を示す。（Ｃ）は、Ｒ５Ｃ７−１０とＲ５Ｄ１４−１９との混合物の結果を示す。
図１１は、抗ＦＧＦＲ−５モノクローナル抗体の、ＨＣＶのシュードタイプウイルスの初代培養ヒト肝細胞への感染性に対する影響を示す。横軸は、抗ＦＧＦＲ−５モノクローナル抗体の濃度を表す。縦軸は、ΔＧ／ＳＥＡＰ／ＨＣＶ  Ｅ１Ｅ２のみを接種した細胞の感染量を１００％とする相対感染率（％）を表す。■バーは、ΔＧ／ＳＥＡＰ／ＨＣＶ  Ｅ１Ｅ２を接種した結果を表し、□バーは、ΔＧ／ＳＥＡＰ／ＶＳＶ  Ｇを接種した結果を表す。
図１２は、本実施例に基づいて作製した種々の抗ＦＧＦＲ−５モノクローナル抗体の各々が認識するＦＧＦＲ５のエピトープを示す模式図である。
【発明を実施するための最良の形態】  本発明は、線維芽細胞成長因子レセプター（ＦＧＦＲ）との親和性を測定して、試験化合物を選択する、Ｃ型肝炎ウイルス（ＨＣＶ）の細胞感染を阻害する化合物のスクリーニング方法に関する。
別の局面において、本発明は、線維芽細胞成長因子レセプター（ＦＧＦＲ）とＨＣＶとの結合に対する遮断能を測定して、試験化合物を選択する、Ｃ型肝炎ウイルス（ＨＣＶ）の細胞感染を阻害する化合物のスクリーニング方法に関する。
更に別の局面において、本発明は、上記スクリーニング方法に準じ、上記の測定のいずれかを試験化合物の判定に使用する、Ｃ型肝炎ウイルス（ＨＣＶ）の細胞感染を阻害する化合物の同定方法に関する。
本発明において、「スクリーニング」及び「スクリーニングする」とは、複数の化合物からなる集団の中から特定の性質を有する化合物を選別する操作を表す。かかる操作において、比較的初期の過程で得られた性質の有無を示す結果を基に、最終的に選別する過程のことを、「選択」または「選択する」という。
一方、「同定」及び「同定する」とは、ある１つの化合物または複数の化合物のそれぞれについて特定の性質を有するか否かを判別する操作を表す。かかる操作において、比較的初期の過程で得られた性質の有無を示す結果を基に、最終的に判断する過程のことを「判定」または「判定する」という。かかる操作を複数の化合物に対して行う場合には、それらを個別的に行っても同時並行的に行ってもよい。したがって、「同定」は上記「スクリーニング」を、「同定する」は上記「スクリーニングする」を、それぞれ包含する。
本明細書中で用いられる「線維芽細胞成長因子レセプター」又は「ＦＧＦＲ」とは、線維芽細胞成長因子（ＦＧＦ）をリガンドとし細胞内シグナル伝達を活性化する受容体として同定された、膜貫通型チロシンキナーゼのファミリーを意味する。このファミリーのメンバーは、相互に高い相同性を有し、これまでに、ＦＧＦＲ−１〜ＦＧＦＲ−４の４種が知られていたが、さらに最近、これらの４種と高い相同性を有しながら細胞内チロシンキナーゼドメインを欠く新たなＦＧＦＲのファミリーのメンバーとして、ＦＧＦＲ−５（ＦＧＦＲＬ１）が報告されている（Ｂｉｏｃｈｅｍｉｃａ  ｅｔ  Ｂｉｏｐｈｙｓｉｃａ  Ａｃｔａ  Ｖｏｌ．１５１８，ｐｐ．１５２−１５６，２００１；Ｇｅｎｏｍｉｃｓ  Ｖｏｌ．６９，ｐｐ．２７５−２７９，２０００を参照）。これらのＦＧＦＲは、本明細書中に示すとおり、ＨＣＶの細胞感染において細胞側のレセプターとしての機能を果たす介在分子である。したがって、ＦＧＦをリガンドとする受容体は、未だ同定されていないものも含め全て、ＨＣＶのレセプターとなり得る。すなわち、本明細書中で用いられる「線維芽細胞成長因子レセプター」又は「ＦＧＦＲ」には、上記の通り既知のＦＧＦＲ−１〜ＦＧＦＲ−５のみならず、ＦＧＦをリガンドとする未知の受容体をも包含される。
本発明において、スクリーニングまたは同定に際しての標的タンパク質として用いるＦＧＦＲは、ヒト由来のＦＧＦＲもしくはそれと実質的に同一のタンパク質を意味する。ここで「実質的に同一」とは、ヒト由来のＦＧＦＲのアミノ酸配列と約６０％以上、好ましくは約７０％以上、より好ましくは約８０％以上、特に好ましくは約９０％以上、最も好ましくは約９５％以上の相同性を有するアミノ酸配列であって、該アミノ酸配列を有するタンパク質がヒト由来のＦＧＦＲと実質的に同質の活性を有するような配列をいう。ここで「相同性」とは、当該技術分野において公知の数学的アルゴリズムを用いて２つのアミノ酸配列をアラインさせた場合の、最適なアラインメント（好ましくは、該アルゴリズムは最適なアラインメントのために配列の一方もしくは両方へのギャップの導入を考慮し得るものである）における、オーバーラップする全アミノ酸残基に対する同一アミノ酸および類似アミノ酸残基の割合（％）を意味する。「類似アミノ酸」とは物理化学的性質において類似したアミノ酸を意味し、例えば、芳香族アミノ酸（Ｐｈｅ、Ｔｒｐ、Ｔｙｒ）、脂肪族アミノ酸（Ａｌａ、Ｌｅｕ、Ｉｌｅ、Ｖａｌ）、極性アミノ酸（Ｇｌｎ、Ａｓｎ）、塩基性アミノ酸（Ｌｙｓ、Ａｒｇ、Ｈｉｓ）、酸性アミノ酸（Ｇｌｕ、Ａｓｐ）、水酸基を有するアミノ酸（Ｓｅｒ、Ｔｈｒ）、側鎖の小さいアミノ酸（Ｇｌｙ、Ａｌａ、Ｓｅｒ、Ｔｈｒ、Ｍｅｔ）などの同じグループに分類されるアミノ酸が挙げられる。このような類似アミノ酸による置換は、タンパク質の表現型に変化をもたらさない（即ち、保存的アミノ酸置換である）ことが予測される。保存的アミノ酸置換の具体例は当該技術分野で周知であり、種々の文献に記載されている（例えば、Ｂｏｗｉｅら，Ｓｃｉｅｎｃｅ，２４７：１３０６−１３１０（１９９０）を参照）。
アミノ酸配列の相同性を決定するためのアルゴリズムとしては、例えば、Ｋａｒｌｉｎら，Ｐｒｏｃ．Ｎａｔｌ．Ａｃａｄ．Ｓｃｉ．ＵＳＡ，９０：５８７３−５８７７（１９９３）に記載のアルゴリズム［該アルゴリズムはＮＢＬＡＳＴおよびＸＢＬＡＳＴプログラム（ｖｅｒｓｉｏｎ２．０）に組み込まれている（Ａｌｔｓｃｈｕｌら，Ｎｕｃｌｅｉｃ  Ａｃｉｄｓ  Ｒｅｓ．，２５：３３８９−３４０２（１９９７））］、Ｎｅｅｄｌｅｍａｎら，Ｊ．Ｍｏｌ．Ｂｉｏｌ．，４８：４４４−４５３（１９７０）に記載のアルゴリズム［該アルゴリズムはＧＣＧソフトウェアパッケージ中のＧＡＰプログラムに組み込まれている］、ＭｙｅｒｓおよびＭｉｌｌｅｒ，ＣＡＢＩＯＳ，４：１１−１７（１９８８）に記載のアルゴリズム［該アルゴリズムはＣＧＣ配列アラインメントソフトウェアパッケージの一部であるＡＬＩＧＮプログラム（ｖｅｒｓｉｏｎ２．０）に組み込まれている］、Ｐｅａｒｓｏｎら，Ｐｒｏｃ．Ｎａｔｌ．Ａｃａｄ．Ｓｃｉ．ＵＳＡ，８５：２４４４−２４４８（１９８８）に記載のアルゴリズム［該アルゴリズムはＧＣＧソフトウェアパッケージ中のＦＡＳＴＡプログラムに組み込まれている］等が挙げられるが、それらに限定されない。
ＦＧＦＲの型は、特に限定はされないが、好ましくは、ＦＧＦＲ−４またはＦＧＦＲ−５が用いられ、より好ましくは、ＦＧＦＲ−５が用いられる。後述の実施例より示唆される通り、ＦＧＦＲ−４は特に「ＨＣＶの表面タンパク質との結合能」を有し、ＨＣＶの細胞感染における細胞接着に主に関与し得る。一方、ＦＧＦＲ−５は「ＨＣＶの表面タンパク質との結合能」を有する上、「ＨＣＶの細胞取り込み能」をも併せ持ち、ＨＣＶの細胞感染における細胞接着と細胞内侵入の両方に関与し得る。
「ＨＣＶの表面タンパク質との結合能」とは、「ＨＣＶの表面タンパク質」と結合する能力を意味する。ここで「ＨＣＶの表面タンパク質」とは、ＨＣＶのエンベロープに存在するタンパク質を指し、その代表的なものとしては、ＨＣＶのウイルス由来の構造タンパク質で、ＨＣＶの細胞への感染におけるＨＣＶ側の介在分子と考えられている、Ｅ１およびＥ２タンパク質が挙げられる（Ｋ．Ｗａｔａｓｈｉら，Ｃａｎｃｅｒ  Ｓｃｉｅｎｃｅ，ｖｏｌ．９４（１１），ｐｐ．９３７−９４３，２００３を参照）。
「ＨＣＶの細胞取り込み能」とは、ＨＣＶと細胞との融合能、即ち、細胞表面に接着したＨＣＶを細胞内に取り込む能力を意味する。
ＦＧＦＲ−４およびＦＧＦＲ−５にはいくつかのスプライスバリアントが知られているが、いずれのものを用いてもよい。したがって、本明細書におけるＦＧＦＲとしては、好ましくは、ＧｅｎＢａｎｋ登録番号：ＮＰ＿００２００２で示されるアミノ酸配列（即ち、ヒトＦＧＦＲ−４の全長ＯＲＦからなるアミノ酸配列）またはＧｅｎＢａｎｋ登録番号：ＮＰ＿０６８７４２で示されるアミノ酸配列（即ち、ヒトＦＧＦＲ−５の全長ＯＲＦからなるアミノ酸配列）と約６０％以上、好ましくは約７０％以上、より好ましくは約８０％以上、特に好ましくは約９０％以上、最も好ましくは約９５％以上の相同性を有するアミノ酸配列を有するタンパク質が挙げられる。
実質的に同質の活性としては、例えば、ＨＣＶの細胞接着促進活性、細胞内侵入促進活性などが挙げられる。「実質的に同質」とは、それらの性質が定性的に（例：生理学的または薬理学的に）同等であることを意味する。したがって、上記の活性の程度といった量的要素については同等であることが好ましいが、異なっていてもよい（例えば、約０．０１〜約１００倍、好ましくは約０．１〜約１０倍、より好ましくは約０．５〜約２倍）。
ＦＧＦＲの上記活性の測定は、ＦＧＦＲ発現細胞によるＨＣＶのシュードタイプウイルス（後述のように細胞に感染するとリポーター遺伝子を発現し得る）の取り込み活性をリポーター遺伝子（例えば、緑色蛍光タンパク質（ＧＦＰ）、アルカリホスファターゼ、ルシフェラーゼ、ベータガラクトシダーゼ等）の発現を指標として測定する方法、ＦＧＦＲ発現細胞と結合するＨＣＶ−ＬＰ（詳細な説明は後述のとおり）を例えばＨＣＶ−ＬＰの構成成分を認識する抗体を用いたＥＬＩＳＡテスト等により定量化する方法、ＦＧＦＲ（例えば、無傷ＦＧＦＲ発現細胞、該細胞の膜画分、後述する可溶化させたＦＧＦＲ等）と上記シュードタイプウイルスとの結合度を、標識したＦＧＦとの競合結合試験により測定する方法などが挙げられるが、それらに限定されない。
また、本発明で用いられるヒト由来のＦＧＦＲと実質的に同一のタンパク質としては、ヒトＦＧＦＲのアミノ酸配列、例えば、（１）ＧｅｎＢａｎｋ登録番号：ＮＰ＿００２００２に示されるヒトＦＧＦＲ−４のアミノ酸配列もしくはＧｅｎＢａｎｋ登録番号：ＮＰ＿０６８７４２に示されるヒトＦＧＦＲ−５のアミノ酸配列中の１または２個以上（好ましくは、１〜３０個程度、好ましくは１〜１０個程度、さらに好ましくは１〜５個）のアミノ酸が欠失したアミノ酸配列、（２）ＧｅｎＢａｎｋ登録番号：ＮＰ＿００２００２に示されるヒトＦＧＦＲ−４のアミノ酸配列もしくはＧｅｎＢａｎｋ登録番号：ＮＰ＿０６８７４２に示されるヒトＦＧＦＲ−５のアミノ酸配列に１または２個以上（好ましくは、１〜３０個程度、好ましくは１〜１０個程度、さらに好ましくは１〜５個）のアミノ酸が付加したアミノ酸配列、（３）ＧｅｎＢａｎｋ登録番号：ＮＰ＿００２００２に示されるヒトＦＧＦＲ−４のアミノ酸配列もしくはＧｅｎＢａｎｋ登録番号：ＮＰ＿０６８７４２に示されるヒトＦＧＦＲ−５のアミノ酸配列に１または２個以上（好ましくは、１〜３０個程度、好ましくは１〜１０個程度、さらに好ましくは１〜５個）のアミノ酸が挿入されたアミノ酸配列、（４）ＧｅｎＢａｎｋ登録番号：ＮＰ＿００２００２に示されるヒトＦＧＦＲ−４のアミノ酸配列もしくはＧｅｎＢａｎｋ登録番号：ＮＰ＿０６８７４２に示されるヒトＦＧＦＲ−５のアミノ酸配列中の１または２個以上（好ましくは、１〜３０個程度、好ましくは１〜１０個程度、さらに好ましくは１〜５個）のアミノ酸が他のアミノ酸で置換されたアミノ酸配列、または（５）それらを組み合わせたアミノ酸配列を含有するタンパク質であって、ヒトＦＧＦＲ−４もしくはヒトＦＧＦＲ−５と実質的に同質の活性を有するタンパク質等も含まれる。ここで「実質的に同質の活性」とは上記と同義である。また、「実質的に同質の活性」の測定は、上記と同様にして行うことができる。
上記のようにアミノ酸配列が、欠失、付加、挿入または置換されている場合、その欠失、付加、挿入または置換の位置は、当該タンパク質の活性を損なわない限り、特に限定されない。
本明細書においてアミノ酸配列により特定されるタンパク質は、ペプチド標記の慣例に従って、左端がＮ末端（アミノ末端）、右端がＣ末端（カルボキシル末端）である。ＧｅｎＢａｎｋ登録番号：ＮＰ＿００２００２に示されるヒトＦＧＦＲ−４もしくはＧｅｎＢａｎｋ登録番号：ＮＰ＿０６８７４２に示されるヒトＦＧＦＲ−５をはじめとする、本発明で用いられるＦＧＦＲは、Ｃ末端がカルボキシル基（−ＣＯＯＨ）、カルボキシレート（−ＣＯＯ−）、アミド（−ＣＯＮＨ２）またはエステル（−ＣＯＯＲ）の何れであってもよい。
ここで、エステルにおけるＲとしては、例えば、メチル、エチル、ｎ−プロピル、イソプロピル、ｎ−ブチルなどのＣ１−６アルキル基、例えば、シクロペンチル、シクロヘキシルなどのＣ３−８シクロアルキル基、例えば、フェニル、α−ナフチルなどのＣ６−１２アリール基、例えば、ベンジル、フェネチルなどのフェニル−Ｃ１−２アルキル基もしくはα−ナフチルメチルなどのα−ナフチル−Ｃ１−２アルキル基などのＣ７−１４アラルキル基、ピバロイルオキシメチル基などが用いられる。
本発明で用いられるタンパク質がＣ末端以外にカルボキシル基（またはカルボキシレート）を有している場合、カルボキシル基がアミド化またはエステル化されているものも本発明で用いられるタンパク質に含まれる。この場合のエステルとしては、例えば上記したＣ末端のエステルなどが用いられる。
さらに、本発明で用いられるタンパク質には、Ｎ末端のアミノ酸残基（例：メチオニン残基）のアミノ基が保護基（例えば、ホルミル基、アセチル基などのＣ１−６アルカノイルなどのＣ１−６アシル基など）で保護されているもの、生体内で切断されて生成するＮ末端のグルタミン残基がピログルタミン酸化したもの、分子内のアミノ酸の側鎖上の置換基（例えば−ＯＨ、−ＳＨ、アミノ基、イミダゾール基、インドール基、グアニジノ基など）が適当な保護基（例えば、ホルミル基、アセチル基などのＣ１−６アルカノイル基などのＣ１−６アシル基など）で保護されているもの、あるいは糖鎖が結合したいわゆる糖タンパク質などの複合タンパク質なども含まれる。
ＦＧＦＲはＣ末端側の細胞内領域にチロシンキナーゼドメインを有する（但し、ＦＧＦＲ−５はそのようなチロシンキナーゼドメインを欠失している）１回膜貫通型タンパク質であり、細胞外因子との結合、相互作用には主としてＮ末端側の細胞外領域が重要な役割を担うと考えられる。従って、試験化合物のＦＧＦＲに対する親和性を測定するためのＦＧＦＲは全長タンパク質である必要は必ずしもなく、その部分ペプチド断片であってもよい。
本発明で用いられるＦＧＦＲの部分ペプチドとしては、ヒト由来のＦＧＦＲのアミノ酸配列、例えば、ＧｅｎＢａｎｋ登録番号：ＮＰ＿００２００２に示されるヒトＦＧＦＲ−４のアミノ酸配列もしくはＧｅｎＢａｎｋ登録番号：ＮＰ＿０６８７４２に示されるヒトＦＧＦＲ−５のアミノ酸配列の部分アミノ酸配列と同一もしくは実質的に同一のアミノ酸配列を有するペプチドであって、前記した本発明で用いられるＦＧＦＲと実質的に同質の活性を有するものであればいずれのものでもよい。ここで「実質的に同質の活性」とは上記と同義である。また、「実質的に同質の活性」の測定は、上記と同様にして行うことができる。
具体的には、該部分ペプチドとしては、本発明で用いられるＦＧＦＲの構成アミノ酸配列のうち少なくとも２００個以上、好ましくは３００個以上、より好ましくは４００個以上のアミノ酸配列を有するペプチドなどが用いられる。また、該部分ペプチドは、ＦＧＦＲの細胞外領域の全部もしくは一部、例えば、ＦＧＦとの結合に関与する領域を少なくとも含む部分であることが望ましい。
また、本発明で用いられるＦＧＦＲの部分ペプチドは、（１）そのアミノ酸配列中の１または２個以上（好ましくは、１〜１０個程度、さらに好ましくは１〜５個）のアミノ酸が欠失し、または、（２）そのアミノ酸配列に１または２個以上（好ましくは、１〜２０個程度、より好ましくは１〜１０個程度、さらに好ましくは１〜５個）のアミノ酸が付加し、または、（３）そのアミノ酸配列に１または２個以上（好ましくは、１〜２０個程度、より好ましくは１〜１０個程度、さらに好ましくは１〜５個）のアミノ酸が挿入され、または、（４）そのアミノ酸配列中の１または２個以上（好ましくは、１〜１０個程度、より好ましくは１〜５個）のアミノ酸が他のアミノ酸で置換されていてもよく、あるいは（５）それらが組み合わされていてもよい。
本発明で用いられるＦＧＦＲの部分ペプチドは、Ｃ末端がカルボキシル基（−ＣＯＯＨ）、カルボキシレート（−ＣＯＯ−）、アミド（−ＣＯＮＨ２）またはエステル（−ＣＯＯＲ）の何れであってもよい。ここで、エステルにおけるＲとしては、ＦＧＦＲについて上記したと同様のものが挙げられる。また、該部分ペプチドがＣ末端以外にカルボキシル基（またはカルボキシレート）を有している場合、該カルボキシル基がアミド化またはエステル化されているものも本発明で用いられるＦＧＦＲの部分ペプチドに含まれる。この場合のエステルとしては、Ｃ末端のエステルと同様のものが例示される。さらに、該部分ペプチドには、ＦＧＦＲの場合と同様に、Ｎ末端のアミノ酸残基（例：メチオニン残基）のアミノ基が保護基で保護されているもの、Ｎ端側が生体内で切断され生成したグルタミン残基がピログルタミン酸化したもの、分子内のアミノ酸の側鎖上の置換基が適当な保護基で保護されているもの、あるいは糖鎖が結合したいわゆる糖ペプチドなどの複合ペプチドなども含まれる。
さらには、試験化合物のＦＧＦＲに対する親和性またはＦＧＦＲとＨＣＶとの結合に対する試験化合物の遮断能を測定するために用いられるＦＧＦＲは、上記の「ヒト由来のＦＧＦＲもしくはそれと実質的に同一のタンパク質」または「ＦＧＦＲの部分ペプチド」のＣ末端に、必要に応じ任意のペプチドリンカーを介して、他のタンパク質またはその部分ペプチドを付加させた、融合タンパク質であってもよい。
このような融合タンパク質としては、例えば、本来膜貫通型タンパク質であるＦＧＦＲを可溶化させる目的で、「他のタンパク質またはその部分ペプチド」として「可溶性の他のタンパク質またはその部分ペプチド」を有する、いわゆる「可溶化させたＦＧＦＲ」が挙げられる。
「可溶化させたＦＧＦＲ」としては、ＦＧＦＲのＮ末端側の細胞外領域の全部または一部、例えば、ＦＧＦとの結合に関与する領域を少なくとも含む部分を「ＦＧＦＲの部分ペプチド」として利用するのが好ましい。また、「可溶性の他のタンパク質またはその部分ペプチド」の例としては、免疫グロブリンＨ鎖のＦｃ部分が挙げられる。（なお、「ＦＧＦＲの部分ペプチド」としてＦＧＦＲのＮ末端側の細胞外領域の全部または一部を少なくとも含み、且つ、「可溶性の他のタンパク質またはその部分ペプチド」として免疫グロブリンＨ鎖のＦｃ部分を利用する「可溶化させたＦＧＦＲ」は、一般に、「可溶性ＦＧＦＲ」と呼ばれる。）
このような「可溶化させたＦＧＦＲ」は、ＦＧＦＲと試験化合物との親和性またはＦＧＦＲとＨＣＶとの結合に対する試験化合物の遮断能を測定するために使用できるのは勿論であるが、それ自体がＨＣＶ表面タンパク質と結合することにより、細胞表面にあるＦＧＦＲとの相互作用を阻害する可能性があるため、ＨＣＶの細胞感染を阻害し得る医薬そのものとしても期待できる。
本発明で用いられるＦＧＦＲもしくはＦＧＦＲの部分ペプチド、またはその融合タンパク質の塩としては、生理学的に許容される酸（例：無機酸、有機酸）や塩基（例：アルカリ金属塩）などとの塩が用いられ、とりわけ生理学的に許容される酸付加塩が好ましい。この様な塩としては、例えば、無機酸（例えば、塩酸、リン酸、臭化水素酸、硫酸）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸）との塩などが用いられる。
本発明で用いられるＦＧＦＲまたはその塩は、ヒトの細胞［例えば、肝細胞、脾細胞、神経細胞、グリア細胞、膵臓β細胞、骨髄細胞、メサンギウム細胞、ランゲルハンス細胞、表皮細胞、上皮細胞、杯細胞、内皮細胞、平滑筋細胞、繊維芽細胞、繊維細胞、筋細胞、脂肪細胞、免疫細胞（例：マクロファージ、Ｔ細胞、Ｂ細胞、ナチュラルキラー細胞、肥満細胞、好中球、好塩基球、好酸球、単球）、巨核球、滑膜細胞、軟骨細胞、骨細胞、骨芽細胞、破骨細胞、乳腺細胞、肝細胞もしくは間質細胞、またはこれら細胞の前駆細胞、幹細胞もしくは癌細胞など］またはそれらの細胞が存在するあらゆる組織もしくは器官［例えば、脳、脳の各部位（例：嗅球、扁桃核、大脳基底球、海馬、視床、視床下部、大脳皮質、延髄、小脳）、脊髄、下垂体、胃、膵臓、腎臓、肝臓、生殖腺、甲状腺、胆嚢、骨髄、副腎、皮膚、筋肉、肺、消化管（例：大腸、小腸）、血管、心臓、胸腺、脾臓、顎下腺、末梢血、前立腺、睾丸、卵巣、胎盤、子宮、骨、関節、脂肪組織（例：褐色脂肪組織、白色脂肪組織）、骨格筋など］から公知のタンパク質の精製方法によって調製することができる。具体的には、該動物の組織または細胞をホモジナイズした後、酸などで抽出を行い、該抽出液を逆相クロマトグラフィー、イオン交換クロマトグラフィーなどのクロマトグラフィーを組み合わせることにより単離・精製することができる。
本発明で用いられるＦＧＦＲもしくはＦＧＦＲの部分ペプチド、またはその融合タンパク質、あるいはそれらの塩（以下、単に「ＦＧＦＲ」と略記する場合がある）は、公知のペプチド合成法に従って製造することもできる。
ペプチド合成法は、例えば、固相合成法、液相合成法のいずれであってもよい。本発明のタンパク質を構成し得る部分ペプチドもしくはアミノ酸と残余部分とを縮合し、生成物が保護基を有する場合は保護基を脱離することにより目的とするタンパク質を製造することができる。ここで、縮合や保護基の脱離は、自体公知の方法、例えば、以下の（１）〜（５）に記載された方法に従って行われる。
（１）Ｍ．ＢｏｄａｎｓｚｋｙおよびＭ．Ａ．Ｏｎｄｅｔｔｉ、Ｐｅｐｔｉｄｅ  Ｓｙｎｔｈｅｓｉｓ，Ｉｎｔｅｒｓｃｉｅｎｃｅ  Ｐｕｂｌｉｓｈｅｒｓ，Ｎｅｗ  Ｙｏｒｋ（１９６６）
（２）ＳｃｈｒｏｅｄｅｒおよびＬｕｅｂｋｅ、Ｔｈｅ  Ｐｅｐｔｉｄｅ，Ａｃａｄｅｍｉｃ  Ｐｒｅｓｓ，Ｎｅｗ  Ｙｏｒｋ（１９６５）
（３）泉屋信夫ら、ペプチド合成の基礎と実験、丸善（株）（１９７５）
（４）矢島治明および榊原俊平、生化学実験講座１、タンパク質の化学ＩＶ、２０５、（１９７７）
（５）矢島治明監修、続医薬品の開発、第１４巻、ペプチド合成、広川書店
本発明のＦＧＦＲの合成には、通常市販のタンパク質合成用樹脂を用いることができる。そのような樹脂としては、例えば、クロロメチル樹脂、ヒドロキシメチル樹脂、ベンズヒドリルアミン樹脂、アミノメチル樹脂、４−ベンジルオキシベンジルアルコール樹脂、４−メチルベンズヒドリルアミン樹脂、ＰＡＭ樹脂、４−ヒドロキシメチルメチルフェニルアセトアミドメチル樹脂、ポリアクリルアミド樹脂、４−（２’，４’−ジメトキシフェニル−ヒドロキシメチル）フェノキシ樹脂、４−（２’，４’−ジメトキシフェニル−Ｆｍｏｃアミノエチル）フェノキシ樹脂などを挙げることができる。このような樹脂を用い、α−アミノ基と側鎖官能基を適当に保護したアミノ酸を、目的とするタンパク質等の配列通りに、自体公知の各種縮合方法に従い、樹脂上で縮合させる。反応の最後に樹脂からタンパク質または部分ペプチドを切り出すと同時に各種保護基を除去し、さらに高希釈溶液中で分子内ジスルフィド結合形成反応を実施し、目的のタンパク質もしくは部分ペプチドまたはそれらのアミド体を取得する。
上記した保護アミノ酸の縮合に関しては、タンパク質合成に使用できる各種活性化試薬を用いることができるが、特に、カルボジイミド類がよい。カルボジイミド類としては、ＤＣＣ、Ｎ，Ｎ’−ジイソプロピルカルボジイミド、Ｎ−エチル−Ｎ’−（３−ジメチルアミノプロピル）カルボジイミドなどが用いられる。これらによる活性化にはラセミ化抑制添加剤（例えば、ＨＯＢｔ，ＨＯＯＢｔ）とともに保護アミノ酸を直接樹脂に添加するかまたは、対称酸無水物またはＨＯＢｔエステルあるいはＨＯＯＢｔエステルとしてあらかじめ保護アミノ酸の活性化を行なった後に樹脂に添加することができる。
保護アミノ酸の活性化や樹脂との縮合に用いられる溶媒としては、タンパク質縮合反応に使用し得ることが知られている溶媒から適宜選択され得る。例えば、Ｎ，Ｎ−ジメチルホルムアミド，Ｎ，Ｎ−ジメチルアセトアミド，Ｎ−メチルピロリドンなどの酸アミド類、塩化メチレン，クロロホルムなどのハロゲン化炭化水素類、トリフルオロエタノールなどのアルコール類、ジメチルスルホキシドなどのスルホキシド類、ピリジン，ジオキサン，テトラヒドロフランなどのエーテル類、アセトニトリル，プロピオニトリルなどのニトリル類、酢酸メチル，酢酸エチルなどのエステル類あるいはこれらの適宜の混合物などが用いられる。反応温度はタンパク質結合形成反応に使用され得ることが知られている範囲から適宜選択され、通常約−２０℃〜５０℃の範囲から適宜選択される。活性化されたアミノ酸誘導体は通常１．５〜４倍過剰で用いられる。ニンヒドリン反応を用いたテストの結果、縮合が不十分な場合には保護基の脱離を行なうことなく縮合反応を繰り返すことにより十分な縮合を行なうことができる。反応を繰り返しても十分な縮合が得られないときには、無水酢酸またはアセチルイミダゾールを用いて未反応アミノ酸をアセチル化することによって、後の反応に影響を与えないようにすることができる。
原料の反応に関与すべきでない官能基の保護ならびに保護基、およびその保護基の脱離、反応に関与する官能基の活性化などは公知の基または公知の手段から適宜選択し得る。
原料のアミノ基の保護基としては、例えば、Ｚ、Ｂｏｃ、ｔ−ペンチルオキシカルボニル、イソボルニルオキシカルボニル、４−メトキシベンジルオキシカルボニル、Ｃｌ−Ｚ、Ｂｒ−Ｚ、アダマンチルオキシカルボニル、トリフルオロアセチル、フタロイル、ホルミル、２−ニトロフェニルスルフェニル、ジフェニルホスフィノチオイル、Ｆｍｏｃなどが用いられる。
カルボキシル基は、例えば、アルキルエステル化（例えば、メチル、エチル、プロピル、ブチル、ｔ−ブチル、シクロペンチル、シクロヘキシル、シクロヘプチル、シクロオクチル、２−アダマンチルなどの直鎖状、分枝状もしくは環状アルキルエステル化）、アラルキルエステル化（例えば、ベンジルエステル、４−ニトロベンジルエステル、４−メトキシベンジルエステル、４−クロロベンジルエステル、ベンズヒドリルエステル化）、フェナシルエステル化、ベンジルオキシカルボニルヒドラジド化、ｔ−ブトキシカルボニルヒドラジド化、トリチルヒドラジド化などによって保護することができる。
セリンの水酸基は、例えば、エステル化またはエーテル化によって保護することができる。このエステル化に適する基としては、例えば、アセチル基などの低級（Ｃ１−６）アルカノイル基、ベンゾイル基などのアロイル基、ベンジルオキシカルボニル基、エトキシカルボニル基などの炭酸から誘導される基などが用いられる。また、エーテル化に適する基としては、例えば、ベンジル基、テトラヒドロピラニル基、ｔ−ブチル基などである。
チロシンのフェノール性水酸基の保護基としては、例えば、Ｂｚｌ、Ｃｌ２−Ｂｚｌ、２−ニトロベンジル、Ｂｒ−Ｚ、ｔ−ブチルなどが用いられる。
ヒスチジンのイミダゾールの保護基としては、例えば、Ｔｏｓ、４−メトキシ−２，３，６−トリメチルベンゼンスルホニル、ＤＮＰ、ベンジルオキシメチル、Ｂｕｍ、Ｂｏｃ、Ｔｒｔ、Ｆｍｏｃなどが用いられる。
保護基の除去（脱離）方法としては、例えば、Ｐｄ−黒あるいはＰｄ−炭素などの触媒の存在下での水素気流中での接触還元や、また、無水フッ化水素、メタンスルホン酸、トリフルオロメタンスルホン酸、トリフルオロ酢酸あるいはこれらの混合液などによる酸処理や、ジイソプロピルエチルアミン、トリエチルアミン、ピペリジン、ピペラジンなどによる塩基処理、また液体アンモニア中ナトリウムによる還元なども用いられる。上記酸処理による脱離反応は、一般に約−２０℃〜４０℃の温度で行なわれるが、酸処理においては、例えば、アニソール、フェノール、チオアニソール、メタクレゾール、パラクレゾール、ジメチルスルフィド、１，４−ブタンジチオール、１，２−エタンジチオールなどのようなカチオン捕捉剤の添加が有効である。また、ヒスチジンのイミダゾール保護基として用いられる２，４−ジニトロフェニル基はチオフェノール処理により除去され、トリプトファンのインドール保護基として用いられるホルミル基は上記の１，２−エタンジチオール、１，４−ブタンジチオールなどの存在下の酸処理による脱保護以外に、希水酸化ナトリウム溶液、希アンモニアなどによるアルカリ処理によっても除去される。
原料のカルボキシル基の活性化されたものとしては、例えば、対応する酸無水物、アジド、活性エステル〔アルコール（例えば、ペンタクロロフェノール、２，４，５−トリクロロフェノール、２，４−ジニトロフェノール、シアノメチルアルコール、パラニトロフェノール、ＨＯＮＢ、Ｎ−ヒドロキシスクシミド、Ｎ−ヒドロキシフタルイミド、ＨＯＢｔ）とのエステル〕などが用いられる。原料のアミノ基の活性化されたものとしては、例えば、対応するリン酸アミドが用いられる。
タンパク質または部分ペプチドのアミド体を得る別の方法としては、例えば、まず、カルボキシ末端アミノ酸のα−カルボキシル基をアミド化して保護した後、アミノ基側にペプチド（タンパク質）鎖を所望の鎖長まで延ばした後、該ペプチド鎖のＮ末端のα−アミノ基の保護基のみを除いたタンパク質または部分ペプチドとＣ末端のカルボキシル基の保護基のみを除去したタンパク質または部分ペプチドとを製造し、これらのタンパク質またはペプチドを上記したような混合溶媒中で縮合させる。縮合反応の詳細については上記と同様である。縮合により得られた保護タンパク質またはペプチドを精製した後、上記方法によりすべての保護基を除去し、所望の粗タンパク質またはペプチドを得ることができる。この粗タンパク質またはペプチドは既知の各種精製手段を駆使して精製し、主要画分を凍結乾燥することで所望のタンパク質またはペプチドのアミド体を得ることができる。
タンパク質またはペプチドのエステル体を得るには、例えば、カルボキシ末端アミノ酸のα−カルボキシル基を所望のアルコール類と縮合しアミノ酸エステルとした後、タンパク質またはペプチドのアミド体と同様にして、所望のタンパク質またはペプチドのエステル体を得ることができる。
本発明で用いられるＦＧＦＲの部分ペプチドまたはその塩は、上述もしくは後述のいずれかの方法により得られるＦＧＦＲまたはその塩を、適当なペプチダーゼで切断することによっても製造することができる。
このようにして得られたＦＧＦＲは、公知の精製法により精製単離することができる。ここで、精製法としては、例えば、溶媒抽出、蒸留、カラムクロマトグラフィー、液体クロマトグラフィー、再結晶、これらの組み合わせなどが挙げられる。
上記方法で得られるタンパク質または部分ペプチドが遊離体である場合には、該遊離体を公知の方法あるいはそれに準じる方法によって適当な塩に変換することができるし、逆にタンパク質が塩として得られた場合には、該塩を公知の方法あるいはそれに準じる方法によって遊離体または他の塩に変換することができる。
ＦＧＦＲはまた、公知の方法に従って、ＦＧＦＲをコードする核酸、好ましくはＤＮＡを含有する発現ベクターを宿主細胞に導入して、ＦＧＦＲを強制発現させることにより取得することもできる。
ＦＧＦＲまたはその部分ペプチドをコードするＤＮＡは、ゲノムＤＮＡ、前記したヒトの細胞または組織・器官由来のｃＤＮＡ、合成ＤＮＡなどが挙げられる。ＦＧＦＲまたはその部分ペプチドをコードするゲノムＤＮＡおよびｃＤＮＡは、上記した細胞・組織より調製したゲノムＤＮＡ画分および全ＲＮＡもしくはｍＲＮＡ画分をそれぞれ鋳型として用い、Ｐｏｌｙｍｅｒａｓｅ  Ｃｈａｉｎ  Ｒｅａｃｔｉｏｎ（以下、「ＰＣＲ法」と略称する）およびＲｅｖｅｒｓｅ  Ｔｒａｎｓｃｒｉｐｔａｓｅ−ＰＣＲ（以下、「ＲＴ−ＰＣＲ法」と略称する）によって直接増幅することもできる。あるいは、ＦＧＦＲまたはその部分ペプチドをコードするゲノムＤＮＡおよびｃＤＮＡは、上記した細胞・組織より調製したゲノムＤＮＡおよび全ＲＮＡもしくはｍＲＮＡの断片を適当なベクター中に挿入して調製されるゲノムＤＮＡライブラリーおよびｃＤＮＡライブラリーから、コロニーもしくはプラークハイブリダイゼーション法またはＰＣＲ法などにより、それぞれクローニングすることもできる。ライブラリーに使用するベクターは、バクテリオファージ、プラスミド、コスミド、ファージミドなどいずれであってもよい。
ＦＧＦＲをコードするＤＮＡとしては、例えば、ＧｅｎＢａｎｋ登録番号：ＮＭ＿００２０１１に示されるヒトＦＧＦＲ−４の全コード領域の塩基配列もしくはＧｅｎＢａｎｋ登録番号：ＮＭ＿０２１９２３に示されるヒトＦＧＦＲ−５の全コード領域の塩基配列を含有するＤＮＡ、あるいは該ＤＮＡとハイストリンジェントな条件下でハイブリダイズする塩基配列を含有し、前記したＧｅｎＢａｎｋ登録番号：ＮＰ＿００２００２に示されるＦＧＦＲ−４のアミノ酸配列もしくはＧｅｎＢａｎｋ登録番号：ＮＰ＿０６８７４２に示されるＦＧＦＲ−５のアミノ酸配列を含有するタンパク質と実質的に同質の活性（例えば、ＨＣＶの細胞接着促進活性、細胞内侵入促進活性など）を有するタンパク質、部分ペプチドもしくは融合タンパク質をコードするＤＮＡなどが挙げられる。
ＧｅｎＢａｎｋ登録番号：ＮＭ＿００２０１１またはＧｅｎＢａｎｋ登録番号：ＮＭ＿０２１９２３に示される塩基配列とハイストリンジェントな条件下でハイブリダイズできるＤＮＡとしては、例えば、ＧｅｎＢａｎｋ登録番号：ＮＭ＿００２０１１またはＧｅｎＢａｎｋ登録番号：ＮＭ＿０２１９２３に示される塩基配列と約６０％以上、好ましくは約７０％以上、さらに好ましくは約８０％以上、特に好ましくは約９０％以上の相同性を有する塩基配列を含有するＤＮＡなどが用いられる。
本明細書における塩基配列の相同性は、相同性計算アルゴリズムＮＣＢＩ  ＢＬＡＳＴ（Ｎａｔｉｏｎａｌ  Ｃｅｎｔｅｒ  ｆｏｒ  Ｂｉｏｔｅｃｈｎｏｌｏｇｙ  Ｉｎｆｏｒｍａｔｉｏｎ  Ｂａｓｉｃ  Ｌｏｃａｌ  Ａｌｉｇｎｍｅｎｔ  Ｓｅａｒｃｈ  Ｔｏｏｌ）を用い、以下の条件（期待値＝１０；ギャップを許す；フィルタリング＝ＯＮ；マッチスコア＝１；ミスマッチスコア＝−３）にて計算することができる。塩基配列の相同性を決定するための他のアルゴリズムとしては、上記したアミノ酸配列の相同性計算アルゴリズムが同様に好ましく例示される。
ハイブリダイゼーションは、自体公知の方法あるいはそれに準じる方法、例えば、モレキュラー・クローニング（Ｍｏｌｅｃｕｌａｒ  Ｃｌｏｎｉｎｇ）第２版（Ｊ．Ｓａｍｂｒｏｏｋ  ｅｔ  ａｌ．，Ｃｏｌｄ  Ｓｐｒｉｎｇ  Ｈａｒｂｏｒ  Ｌａｂ．Ｐｒｅｓｓ，１９８９）に記載の方法などに従って行なうことができる。また、市販のライブラリーを使用する場合、ハイブリダイゼーションは、添付の使用説明書に記載の方法に従って行なうことができる。ハイブリダイゼーションは、好ましくは、ハイストリンジェントな条件に従って行なうことができる。
ハイストリンジェントな条件としては、例えば、ナトリウム塩濃度が約１９〜約４０ｍＭ、好ましくは約１９〜約２０ｍＭで、温度が約５０〜約７０℃、好ましくは約６０〜約６５℃の条件等が挙げられる。特に、ナトリウム塩濃度が約１９ｍＭで温度が約６５℃の場合が好ましい。当業者は、ハイブリダイゼーション溶液の塩濃度、ハイブリダイゼーション反応の温度、プローブ濃度、プローブの長さ、ミスマッチの数、ハイブリダイゼーション反応の時間、洗浄液の塩濃度、洗浄の温度等を適宜変更することにより、所望のストリンジェンシーに容易に調節することができる。
クローン化されたＤＮＡは、目的によりそのまま、または所望により制限酵素で消化するか、リンカーを付加した後に、使用することができる。該ＤＮＡはその５’末端側に翻訳開始コドンとしてのＡＴＧを有し、また３’末端側には翻訳終止コドンとしてのＴＡＡ、ＴＧＡまたはＴＡＧを有していてもよい。これらの翻訳開始コドンや翻訳終止コドンは、適当な合成ＤＮＡアダプターを用いて付加することができる。
ＦＧＦＲまたはその部分ペプチドをコードするＤＮＡを含む発現ベクターは、例えば、ＦＧＦＲをコードするＤＮＡから目的とするＤＮＡ断片を切り出し、該ＤＮＡ断片を適当な発現ベクター中のプロモーターの下流に連結することにより製造することができる。
発現ベクターとしては、レトロウイルス、ワクシニアウイルスなどの動物ウイルス；ｐＡ１−１１、ｐｘＴ１、ｐＲｃ／ＣＭＶ、ｐＲｃ／ＲＳＶ、ｐｃＤＮＡＩ／Ｎｅｏ、ｐＭＥ１８Ｓなどが用いられる。
プロモーターとしては、遺伝子の発現に用いる宿主に対応して適切なプロモーターであればいかなるものでもよく、例えば、ＳＲαプロモーター、ＳＶ４０プロモーター、ＬＴＲプロモーター、ＣＭＶ（サイトメガロウイルス）プロモーター、ＨＳＶ−ＴＫプロモーターなどが用いられる。
発現ベクターとしては、上記の他に、所望によりエンハンサー、スプライシングシグナル、ポリＡ付加シグナル、選択マーカー、ＳＶ４０複製オリジン（以下、ＳＶ４０ｏｒｉと略称する場合がある）などを含有しているものを用いることができる。選択マーカーとしては、例えば、ジヒドロ葉酸還元酵素（以下、ｄｈｆｒと略称する場合がある）遺伝子〔メソトレキセート（ＭＴＸ）耐性〕、アンピシリン耐性遺伝子（以下、Ａｍｐｒと略称する場合がある）、ネオマイシン耐性遺伝子（以下、Ｎｅｏｒと略称する場合がある、Ｇ４１８耐性）等が挙げられる。特に、ｄｈｆｒ遺伝子欠損チャイニーズハムスター細胞を用い、ｄｈｆｒ遺伝子を選択マーカーとして使用する場合、目的遺伝子をチミジンを含まない培地によって選択することもできる。
宿主細胞への遺伝子導入は、例えば、細胞工学別冊８  新細胞工学実験プロトコール．２６３−２６７（１９９５）（秀潤社発行）；Ｖｉｒｏｌｏｇｙ，ｖｏｌ．５２，４５６（１９７３）に記載の方法に従って行うことができる。
細胞を培養する培地としては、例えば、約５〜２０％の胎仔ウシ血清（ＦＢＳ）を含むＭＥＭ培地〔Ｓｃｉｅｎｃｅ，ｖｏｌ．１２２，５０１（１９５２）〕，ＤＭＥＭ培地〔Ｖｉｒｏｌｏｇｙ，ｖｏｌ．８，３９６（１９５９）〕，ＲＰＭＩ  １６４０培地〔Ｔｈｅ  Ｊｏｕｒｎａｌ  ｏｆ  ｔｈｅ  Ａｍｅｒｉｃａｎ  Ｍｅｄｉｃａｌ  Ａｓｓｏｃｉａｔｉｏｎ，ｖｏｌ．１９９，５１９（１９６７）〕，１９９培地〔Ｐｒｏｃｅｅｄｉｎｇ  ｏｆ  ｔｈｅ  Ｓｏｃｉｅｔｙ  ｆｏｒ  ｔｈｅ  Ｂｉｏｌｏｇｉｃａｌ  Ｍｅｄｉｃｉｎｅ，ｖｏｌ．７３，１（１９５０）〕などが用いられる。培地のｐＨは、好ましくは約６〜８である。培養は、通常約３０℃〜４０℃で、約１５〜６０時間行なわれる。必要に応じて通気や撹拌を行ってもよい。
ＦＧＦＲは、試験化合物との「親和性」または「ＨＣＶとの結合」に対する試験化合物の「遮断能」を測定し得る限り、いかなる形態で提供されてもよい。
「親和性」とは、ＦＧＦＲと試験化合物との結合性（即ち、特異的に結合し得る能力）を意味し、結合する部位は特に制限はないが、好ましくは、親和性を有する化合物はＦＧＦＲの細胞外領域と結合性を有し、より好ましくはＦＧＦＲのＦＧＦ結合部位と結合性を有する。かかる親和性（結合性）の結果として、該化合物はＦＧＦＲに対してＨＣＶと拮抗的に作用し、ＦＧＦＲを介したＨＣＶの細胞接着・細胞内侵入を阻害し得る。
「ＨＣＶとの結合」とは、ＦＧＦＲとＨＣＶとの結合を意味し、ＦＧＦＲが上記「ＨＣＶの表面タンパク質との結合能」を発揮した結果生じる両者の結合に代表される。したがって、「ＨＣＶとの結合」に対する試験化合物の「遮断能」とは、試験化合物がかかる結合を阻害する能力を意味し、その阻害様式は特に制限はないが、例えば、上記ＦＧＦＲとの「親和性」を有する化合物は、ＨＣＶと拮抗的に作用してかかる結合を阻害するので、結果的に「遮断能」を有する化合物となる。「遮断能」を有する化合物の別の例としては、ＨＣＶに対してＦＧＦＲと拮抗的に作用することにより、ＦＧＦＲとＨＣＶとの結合を阻害する化合物が挙げられる。そのような化合物として好ましい例は、上記「可溶化させたＦＧＦＲ」である。
例えば、本発明のスクリーニング方法および同定方法において、ＦＧＦＲは、生来ＦＧＦＲを発現している細胞（例えば、ＨｅｐＧ２、Ｈｕｈ７、ＦＬＣ４、ＨＥＫ２９３、Ａ５４９等）、ＦＧＦＲをコードする核酸、好ましくはＤＮＡを含有する発現ベクターを導入してＦＧＦＲを強制発現させた細胞（例えば、上記細胞の他、ＨｅＬａ細胞、ＣＨＯ細胞等のＦＧＦＲ非発現細胞を宿主細胞とするものも含まれる）、上記いずれかの細胞の膜画分、単離されたＦＧＦＲを人工脂質二重膜に包埋してなるプロテオリポソーム、上記細胞やそれの由来する組織・臓器から完全もしくは不完全精製したＦＧＦＲタンパク質自体、可溶化させたＦＧＦＲを含むＦＧＦＲの融合タンパク質などの形態で提供され得るが、それらに限定されない。
ＦＧＦＲを発現する細胞をＦＧＦＲとの親和性を評価するのに用いる場合は、親和性を確認後、もしくは親和性の評価と同時にＨＣＶの細胞感染の程度を評価することができる。全く同様に、ＦＧＦＲを発現する細胞をＨＣＶとの結合に対する遮断能を評価するのに用いる場合も、遮断能を確認後、もしくは遮断能の評価と同時にＨＣＶの細胞感染の程度を評価することができる。生来ＦＧＦＲを発現する細胞の中には、発現量が少ないものもあり得るので、１つの好ましい実施形態では、本発明は、ＦＧＦＲの供給源として、任意の型のＦＧＦＲを強制発現させた細胞を用い得る。
本発明において、ＦＧＦＲを有する細胞を用いる場合、スクリーニング方法または同定方法によってＦＧＦＲとの親和性またはＦＧＦＲとＨＣＶとの結合に対する遮断能を有する化合物が発見されれば、引き続いて、ＨＣＶもしくはＨＣＶの初期感染過程を擬似化するシュードタイプのウイルスを加えて、ＨＣＶの細胞への感染力に対するこの化合物の阻害効果を評価することができる。
別の実施形態では、本発明は、ＦＧＦＲの供給源として、任意の型のＦＧＦＲを有する細胞の膜画分を用い得る。
ＦＧＦＲを有する細胞の膜画分を用いる場合、ＦＧＦＲを有する細胞を用いる場合よりも、より簡便にスクリーニングを行うことができるので、大量の試験化合物を一次（予備）スクリーニングする場合などに有用であり得る。膜画分は、例えば、ＦＧＦＲを有する細胞を、種々のタンパク質分解酵素阻害剤の存在下に適切な緩衝溶液中でホモゲナイズするか、ポリトロン等の細胞破壊装置で懸濁化するか、低浸透圧ショックにより破壊するか、または超音波処理により細胞膜を破壊した後、種々の媒体を用いた密度勾配遠心法にて調製され得る（例えば、細胞ホモジネートを約１，０００×ｇ程度で遠心して上清を回収した後、約１００，０００×ｇ程度で密度勾配遠心して沈渣を回収すること等により、調製することができる）。
本発明のさらに別の実施形態においては、ＦＧＦＲは、精製したＦＧＦＲタンパク質を、人工脂質二重膜中に再生させたものを使用することができる。ＦＧＦＲは、例えば、上記ＦＧＦＲを有する細胞の膜画分より、後述の抗ＦＧＦＲ抗体を用いたアフィニティークロマトグラフィー等により精製することができる。あるいは、ＦＧＦＲは、それをコードするＤＮＡを含む発現ベクターを導入された上記のような組換え細胞から、抗ＦＧＦＲ抗体や、Ｈｉｓ−ｔａｇ、ＧＳＴ−ｔａｇ等を用いたアフィニティークロマトグラフィー等により精製することもできる。
人工脂質二重膜を構成する脂質としては、ホスファチジルコリン（ＰＣ）、ホスファチジルセリン（ＰＳ）、コレステロール（Ｃｈ）、ホスファチジルイノシトール（ＰＩ）、ホスファチジルエタノールアミン（ＰＥ）等が挙げられ、これら１種または２種以上を適当な比率で混合したものが好ましく使用される。
例えば、ＦＧＦＲを組み込んだ人工脂質二重膜（プロテオリポソーム）は、以下の方法により調製することができる。即ち、まず、ＰＣ：ＰＩ：Ｃｈ＝１２：１２：１の混合脂質クロロホルム溶液を適当量ガラスチューブに分取し、窒素ガス蒸気でクロロホルムを蒸発させて脂質をフィルム状に乾燥させた後、適当な緩衝液を加えて懸濁、次いで超音波処理により均一に分散させ、コール酸ナトリウム等の界面活性剤を含む緩衝液をさらに加えて脂質を完全に懸濁する。ここに、精製したＦＧＦＲを適量添加し、氷中で時々攪拌しながら２０〜３０分間程度インキュベートした後、適当な緩衝液に対して透析する。約１００，０００×ｇで３０〜６０分間遠心して沈渣を回収することにより、所望のプロテオリポソームを得ることができる。
本発明のさらに別の実施形態においては、ＦＧＦＲとして、可溶化させたＦＧＦＲを使用することができる。
可溶化させたＦＧＦＲを用いる場合、ＦＧＦＲを有する細胞の膜画分やプロテオリポソームを用いる場合に比べてさらに簡便にスクリーニングを行うことができる。可溶化させたＦＧＦＲは、例えば、それをコードするＤＮＡを含む発現ベクターを導入された組換え細胞から公知の可溶性タンパク質精製法に従って取得することができる他、市販のもの（例えば、Ｓｉｇｍａ社より市販されているＦＧＦＲ／Ｆｃキメラ等）を用いることができる。
本発明に用いられる「試験化合物」は、いかなる公知化合物でも新規化合物でもよく、これらとしては、特に制限はされないが、例えば、核酸、糖質、脂質、タンパク質、ペプチド、抗体、有機もしくは無機の低分子化合物、有機もしくは無機の高分子化合物、コンビナトリアルケミストリー技術を用いて作製された化合物ライブラリー、固相合成やファージディスプレイ法により作製されたランダムペプチドライブラリー、あるいは微生物、動植物等由来の天然成分等が挙げられる。
かかる試験化合物としては、既にＦＧＦＲのアンタゴニストとして作用することが知られている化合物が含まれる。このような化合物としては、例えば、以下が挙げられる：Ｔｒｏｐｏｎｉｎ  １，
2006011686.tif 000002
2006011686.tif 000003
2006011686.tif 000004
あるいは、試験化合物として、ＦＧＦＲとの親和性を有することが既知であるリガンドを用いてもよい。
本発明において「リガンド」とは、ＦＧＦＲが受容する任意の物質を意味し、ＦＧＦＲを発現している生体が本来有している内在性リガンドおよび人工的に調製された人工物質のいずれをも包含する。ＦＧＦＲに対するリガンドとしては、下記に例示されるような物質が潜在的な候補として挙げられる。
「線維芽細胞成長因子（ＦＧＦ）」は、線維芽細胞に強い増殖性を有するポリペプチドのファミリーであり、ＦＧＦＲに対する公知のリガンドである。
このファミリーのメンバーとしては、ＦＧＦ１〜ＦＧＦ２３が知られており、市販のもの（例えば、Ｐｅｐｒｏ  Ｔｅｃｈ社等より市販されている）を用いることができる。さらに、ＦＧＦのフラグメントもまた、ＦＧＦＲに対する結合部位を有する限りＦＧＦＲに対するリガンドの候補であり得る。
本発明で用いられるＦＧＦの型は、特に限定はされないが、好ましくは、ＦＧＦ−２、ＦＧＦ−７、ＦＧＦ−８、ＦＧＦ−１７であり、特に好ましくは、ＦＧＦ−２とＦＧＦ−７である。
ＦＧＦＲに対する抗体もまた、ＦＧＦＲに対するリガンドの候補であり得る。この抗体は、ポリクローナル抗体でも、モノクローナル抗体でもよく、以下に例示するような、当該分野で周知の免疫学的手法により作製することができる。
さらに、抗ＦＧＦＲ抗体のフラグメントもまた、ＦＧＦＲに対する抗原結合部位（ＣＤＲ）を有する限り、ＦＧＦＲに対するリガンドの候補であり得る。このような抗体のフラグメントとしては、例えば、Ｆａｂ、Ｆ（ａｂ’）２、ＳｃＦｖ、ｍｉｎｉｂｏｄｙ等が挙げられる。
ポリクローナル抗体は、例えば、ＦＧＦＲあるいはそのフラグメント（必要に応じて、ウシ血清アルブミン、ＫＬＨ（Ｋｅｙｈｏｌｅ  Ｌｉｍｐｅｔ  Ｈｅｍｏｃｙａｎｉｎ）等のキャリアタンパク質に架橋した複合体とすることもできる）を抗原として、市販のアジュバント（例えば、完全または不完全フロイントアジュバント）とともに、動物の皮下あるいは腹腔内に２〜３週間おきに２〜４回程度投与し（部分採血した血清の抗体価を公知の抗原抗体反応により測定し、その上昇を確認しておく）、最終免疫から約３〜約１０日後に全血を採取して抗血清を精製することにより取得できる。抗原を投与する動物としては、ラット、マウス、ウサギ、ヤギ、モルモット、ハムスターなどの哺乳動物が挙げられる。
モノクローナル抗体は、例えば、細胞融合法（例えば、渡邊武、細胞融合法の原理とモノクローナル抗体の作成、谷内昭、高橋利忠編、「モノクローナル抗体とがん―基礎と臨床―」、第２−１４頁、サイエンスフォーラム出版、１９８５年）により作製することができる。例えば、マウスに該因子を市販のアジュバントと共に２〜４回皮下あるいは腹腔内に投与し、最終投与の約３日後に脾臓あるいはリンパ節を採取し、白血球を採取する。この白血球と骨髄腫細胞（例えば、ＮＳ−１、Ｐ３Ｘ６３Ａｇ８など）を細胞融合して該因子に対するモノクローナル抗体を産生するハイブリドーマを得る。この細胞融合は、ＰＥＧ法［Ｊ．Ｉｍｍｕｎｏｌ．Ｍｅｔｈｏｄｓ，８１（２）：２２３−２２８（１９８５）］で行ってもよいし、電圧パルス法［Ｈｙｂｒｉｄｏｍａ，７（６）：６２７−６３３（１９８８）］で行ってもよい。所望のモノクローナル抗体を産生するハイブリドーマは、周知のＥＩＡまたはＲＩＡ法等を用いて抗原と特異的に結合する抗体を、培養上清中から検出することにより選択できる。モノクローナル抗体を産生するハイブリドーマの培養は、インビトロ、またはマウスもしくはラット、好ましくはマウス腹水中等のインビボで行うことができ、抗体はそれぞれハイブリドーマの培養上清および動物の腹水から取得することができる。
ヒトにおける治療効果と安全性を考慮すると、本発明に用いる抗ＦＧＦＲ抗体は、ヒトと他の動物（例えば、マウス等）のキメラ抗体であることが好ましく、ヒト化抗体であることがさらに好ましく、完全ヒト抗体であることが特に好ましい。ここで「キメラ抗体」とは免疫動物由来の可変部（Ｖ領域）とヒト由来の定常部（Ｃ領域）を有する抗体のことをいい、「ヒト化抗体」とはＣＤＲを除いて他の領域をすべてヒト抗体に置き換えた抗体のことをいう。キメラ抗体やヒト化抗体は、例えば、上記と同様の方法により作製したマウスモノクローナル抗体の遺伝子からＶ領域もしくはＣＤＲをコードする配列を切り出し、ヒト骨髄腫由来の抗体のＣ領域をコードするＤＮＡと融合したキメラ遺伝子を適当な発現ベクター中にクローニングし、これを適当な宿主細胞に導入して該キメラ遺伝子を発現させることにより取得することができる。完全ヒト抗体は、ヒト−ヒト（もしくはマウス）ハイブリドーマより製造することも可能ではあるが、大量の抗体を安定に且つ低コストで提供するためには、ヒト抗体産生動物（例：マウス）（例：Ａｂｇｅｎｉｘ社製［商品名：ＸｅｎｏＭｏｕｏｓｅ（Ｎａｔ．Ｇｅｎｅｔ．，１５：１４６−１５６，１９９７；米国特許第５，９３９，５９８号等を参照）］やＭｅｄａｒｅｘ社製［商品名：Ｈｕ−Ｍａｂ  Ｍｏｕｓｅ（Ｎａｔ．Ｂｉｏｔｅｃｈｎｏｌ．，１４：８４５−８５１，１９９６；米国特許第５，５４５，８０６号等を参照）］、キリンビール製［商品名：ＫＭマウス］等）またはファージディスプレイ法（代表的なファージディスプレイライブラリーとしては、ＣＡＴ社のライブラリー（Ｊ．Ｍｏｌ．Ｂｉｏｌ．，２２２：５８１−５９７，１９９１；Ｎａｔ．Ｂｉｏｔｅｃｈｎｏｌ．，１４：３０９−３１４，１９９６参照）、ＭＲＣ社のライブラリー（Ａｎｎｕ．Ｒｅｖ．Ｉｍｍｕｎｏｌ．，１２：４３３−４５５，１９９４参照）、Ｄｙａｘ社のライブラリー（Ｊ．Ｂｉｏｌ．Ｃｈｅｍ．，１９９９（上述）；Ｐｒｏｃ．Ｎａｔｌ．Ａｃａｄ．Ｓｃｉ．ＵＳＡ，１４：７９６９−７９７４，２０００参照）、Ｍｏｒｐｈｏｓｙｓ社のＨｕＣＡＬライブラリー（Ｊ．Ｍｏｌ．Ｂｉｏｌ．，２９６：５７−８６，２０００参照）、ＢｉｏＩｎｖｅｎｔ社のライブラリー（Ｎａｔ．Ｂｉｏｔｅｃｈｎｏｌ．，１８：８５２，２０００参照）、Ｃｒｕｃｅｌｌ社のライブラリー（Ｐｒｏｃ．Ｎａｔｌ．Ａｃａｄ．Ｓｃｉ．ＵＳＡ，９２：３９３８，１９９５；Ｊ．Ｉｍｍｕｎｏｌ．Ｍｅｔｈｏｄｓ，２７２：２１９−２３３，２００３参照）等がある）を用いて製造することが望ましい。
あるいは、ＦＧＦＲに対する抗体として、例えば、Ｒ＆Ｄ  Ｓｙｓｔｅｍｓ社などより市販されている抗体を用いることができる。
試験化合物とＦＧＦＲとの間の親和性は、当該分野で周知のレセプター−リガンド相互作用の測定方法を用いて評価することが出来る。例えば、ＦＧＦＲとの親和性がＦＧＦ結合部位との結合性であるような化合物をスクリーニングする場合、当該化合物はＦＧＦＲへの結合に関してＦＧＦと競合的に作用するので、例えば、上記したような遊離ＦＧＦを適当な標識剤（例えば、放射性同位元素（例：〔１２５Ｉ〕、〔１３１Ｉ〕、〔３Ｈ〕、〔１４Ｃ〕など）、酵素（例：β−ガラクトシダーゼ、β−グルコシダーゼ、アルカリホスファターゼ、パーオキシダーゼ、リンゴ酸脱水素酵素など）、蛍光物質（例：フルオレスカミン、フルオレッセンイソチオシアネートなど）、発光物質（例：ルミノール、ルミノール誘導体、ルシフェリン、ルシゲニンなど）等が用いられる）で標識し、該標識ＦＧＦ存在下で、固相化したＦＧＦＲ（例：ウェルプレートに吸着させたＦＧＦＲ発現細胞、膜画分など）と試験化合物とを接触させた後、固液分離により未反応のＦＧＦを除去して固相に結合した標識剤の量（活性）を定量する方法等が挙げられる。
本発明で用いられるＣ型肝炎ウイルス（ＨＣＶ）は、天然に存在するウイルスでもよいし、ＨＣＶの細胞感染を模倣し得る人工的に操作されたウイルス（例えば、シュードタイプウイルス）、或いはＨＣＶと同様の表面構造を示すがゲノムを含まない粒子（例えば、ＨＣＶ−ＬＰ（ｈｅｐａｔｉｔｉｓ  Ｃ  ｖｉｒｕｓ−ｌｉｋｅ  ｐａｒｔｉｃｌｅｓ））でもよい。
本明細書において、ＨＣＶのシュードタイプウイルスとは、ＨＣＶの細胞感染に必須のエンベロープタンパク質の細胞外ドメインをその表面上に有する、ＨＣＶの細胞感染を再現し得る組換えウイルス、例えば、信頼できる細胞培養系が確立している他のウイルス（例：水疱性口内炎ウイルス（ＶＳＶ）等）において、当該ウイルスのエンベロープタンパク質の少なくとも殻外ドメインをＨＣＶの２つのエンベロープタンパク質（Ｅ１およびＥ２）の殻外ドメインに置換して得られる組換えウイルスであり、例えば、ウイルスゲノム上で元のウイルスのエンベロープタンパク質に代えてＨＣＶエンベロープタンパク質を組み込んだ組換えウイルスを用いる方法や、ＨＣＶエンベロープタンパク質を発現させた細胞に元のエンベロープタンパク質を欠損させたウイルスを感染させて、出芽する際にウイルスにＨＣＶエンベロープタンパク質を取り込ませる方法（例：Ｖｉｒｏｌｏｇｙ  Ｖｏｌ．２８６，ｐｐ．２６３−２７５，２００１等に記載の方法）等により作製することができる。
本明細書において、ＨＣＶ−ＬＰとは、ＨＣＶの細胞感染に必須のエンベロープタンパク質の細胞外ドメインをその表面上に有するウイルス様粒子、例えば、ＨＣＶの２つのエンベロープタンパク質（Ｅ１およびＥ２）を導入した細胞（例：昆虫細胞）において、該エンベロープタンパク質を有する膜で覆われた粒子として、細胞外に分泌されたり、細胞内で小胞または液胞状に形成されるのを分離精製して得られるウイルス様粒子であり、例えば、Ｊｏｕｒｎａｌ  ｏｆ  Ｖｉｒｏｌｏｇｙ  Ｖｏｌ．７２，Ｎｏ．５，ｐｐ．３８２７−３８３６，１９９８等の記載に基づいて作製することができる。
ウイルスの細胞感染の程度を測定する方法としては、当該分野で周知の方法を用いることができる。例えば、ＨＣＶとして上記のようなシュードタイプのウイルスを用いる場合、同時にレポーター遺伝子として、例えば、分泌型アルカリホスファターゼ（ＳＥＡＰ）遺伝子、ＧＦＰ遺伝子、ルシフェラーゼ遺伝子、ベータガラクトシダーゼ遺伝子などを組み込むことにより、該ウイルスに感染した細胞における該レポーター遺伝子の発現量を指標としてＨＣＶの細胞感染の程度を測定することができる。
上記のレポーター遺伝子を利用するウイルスの細胞感染の程度の評価は、市販のキット（例えば、ＴＯＹＯＢＯ社、ｃｌｏｎｔｅｃｈ社などから市販されている）を利用することができる。
本発明はまた、上記本発明のスクリーニング／同定方法の実施に適したスクリーニング／同定用キットを提供する。当該キットは、ＦＧＦＲを含有する脂質二重膜および／またはＦＧＦＲを発現する細胞、並びにＨＣＶのシュードタイプウイルスを含んでなる。ここで脂質二重膜は、ＦＧＦＲを有する細胞から調製される膜画分であってもよく、あるいはＦＧＦＲを人工脂質二重膜中に包埋したプロテオリポソームであってもよい。
本発明はさらに、上記スクリーニング／同定方法により得られ得る、ＦＧＦＲと親和性を有する化合物を含有してなるＨＣＶの細胞感染阻害剤に関する。
１つの好ましい実施形態では、上記ＦＧＦＲと親和性を有する化合物は、ＦＧＦＲのＦＧＦ結合部位との結合性を有する。
本発明はさらに、上記スクリーニング／同定方法により得られ得る、ＦＧＦＲとＨＣＶとの結合に対する遮断能を有する化合物を含有してなるＨＣＶの細胞感染阻害剤に関する。
１つの好ましい実施形態では、上記ＦＧＦＲとＨＣＶとの結合に対する遮断能を有する化合物は、上記ＦＧＦＲと親和性を有する化合物であり、別の好ましい実施形態では、上記可溶化させたＦＧＦＲである。
本発明の製剤（阻害剤）は、任意の担体、例えば、薬学的に許容され得る担体を配合してもよい。
ここで「薬学的に許容され得る担体」とは、賦形剤、希釈剤、増量剤、崩壊剤、安定剤、保存剤、緩衝剤、乳化剤、芳香剤、着色剤、甘味剤、粘稠剤、矯味剤、溶解補助剤あるいはその他の添加剤等が挙げられる。そのような担体の一つ以上を用いることにより、錠剤、丸剤、散剤、顆粒剤、注射剤、液剤、カプセル剤、トローチ剤、エリキシル剤、懸濁剤、乳剤あるいはシロップ剤等の形態の製剤を調製することができる。これらの製剤は、経口あるいは非経口的に投与することができる。
ＨＣＶの細胞感染を阻害し得る製剤の投与量は、投与対象の症状、年齢、体重、投与経路などにより差異はあるが、経口投与の場合、例えば、患者あたり（体重６０ｋｇとして）、一日につき約０．１〜約１０，０００ｍｇ、好ましくは約０．１〜約３，０００ｍｇ、より好ましくは約０．１〜約１，０００ｍｇ程度が挙げられる。一方、非経口的に投与する場合、例えば注射剤として投与する場合には、患者あたり（体重６０ｋｇとして）、一日につき約０．０１〜約５，０００ｍｇ、好ましくは約０．０１〜約２，０００ｍｇ、より好ましくは約０．０１〜約５００ｍｇ程度が挙げられる。
以下の実施例により本発明をより具体的に説明するが、実施例は本発明の単なる例示を示すものにすぎず、本発明の範囲を何ら限定するものではない。
【実施例】（製造例１：ＨＣＶのシュードタイプウイルスの作製）
ＨＣＶのシュードタイプウイルスの作製は、Ｖｉｒｏｌｏｇｙ  Ｖｏｌ．２８６，ｐｐ．２６３−２７５，２００１年に記載されているのと同様の方法に従って行った。まず、Ｐｒｏｃ．Ｎａｔｌ．Ａｃａｄ．Ｓｃｉ．ＵＳＡ  Ｖｏｌ．９２，ｐｐ．４４７７−４４８１，１９９５年に記載されている方法を基に、水疱性口内炎ウイルス（ＶＳＶ）の、エンベロープタンパク質（糖タンパク質）遺伝子が分泌型アルカリホスファターゼ（ＳＥＡＰ）または緑色蛍光タンパク質（ＧＦＰ）遺伝子で置換されたゲノムを有し、ＶＳＶの糖タンパク質を被った組換えウイルス（以下、ＳＥＡＰ遺伝子で置換されたものをΔＧ／ＳＥＡＰ／ＶＳＶ  Ｇ、ＧＦＰ遺伝子で置換されたものをΔＧ／ＧＦＰ／ＶＳＶ  Ｇという）を作製した。次に、ΔＧ／ＳＥＡＰ／ＶＳＶ  ＧまたはΔＧ／ＧＦＰ／ＶＳＶ  ＧをＶＳＶの糖タンパク質を強制発現させたＣＨＯ−Ｋ１細胞に感染させて、ΔＧ／ＳＥＡＰ／ＶＳＶ  ＧおよびΔＧ／ＧＦＰ／ＶＳＶ  Ｇを大量に調製し、以下の実施例におけるコントロールウイルスとして供した。また、ΔＧ／ＳＥＡＰ／ＶＳＶ  ＧまたはΔＧ／ＧＦＰ／ＶＳＶ  Ｇを、ＨＣＶのＥ１、Ｅ２タンパク質殻外領域とＶＳＶの糖タンパク質Ｃ末端領域とからなるキメラタンパク質を強制発現させたＣＨＯ−Ｋ１細胞に感染させ、ＨＣＶのＥ１、Ｅ２タンパク質を被ったウイルスゲノムにＳＥＡＰまたはＧＦＰ遺伝子を有する組換えウイルス（以下、それぞれΔＧ／ＳＥＡＰ／ＨＣＶ  Ｅ１Ｅ２、ΔＧ／ＧＦＰ／ＨＣＶ  Ｅ１Ｅ２という）を大量に調製し、以下の実施例におけるシュードタイプウイルスとして供した。
（製造例２：ＨＣＶ−ＬＰの作製）
ＨＣＶ−ＬＰの作製は、Ｊｏｕｒｎａｌ  ｏｆ  Ｖｉｒｏｌｏｇｙ  Ｖｏｌ．７２，Ｎｏ．５，ｐｐ．３８２７−３８３６，１９９８年に記載されているのと同様の方法に従って行った。バキュロウイルスベクターに組み込むＨＣＶのｃＤＮＡとしては、配列番号１に示されるＨＣＶ  Ｊ１ゲノムの塩基配列の３３０番目〜２８４９番目（ＨＣＶポリプロテインの１〜８３６位のアミノ酸に相当）を用いた。
（製造例３：ＦＧＦＲ−５／Ｆｃの作製）
ヒトＦＧＦＲ−５の細胞外ドメインのＣ末端側に、ヒト免疫グロブリンのＦｃ領域を、Ｆａｃｔｏｒ  Ｘａ配列を含むリンカーポリペプチド（配列番号５に示すアミノ酸配列からなる）を介して結合させたキメラタンパク質であるＦＧＦＲ−５／Ｆｃを、可溶化させたＦＧＦＲ−５として、以下の実施例に用いた。このＦＧＦＲ−５／Ｆｃの作製は、常法に従って以下のように行った。ＦＧＦＲ−５／ＦｃをコードするＤＮＡ（ヒトＦＧＦＲ−５の細胞外ドメインをコードするＤＮＡ（配列番号２）／リンカーポリペプチドをコードするＤＮＡ（配列番号４）／ヒト免疫グロブリンのＦｃ領域をコードするＤＮＡ（配列番号３）からなる）を組み込んだ発現ベクターｐＭＥ１８Ｓ（丸山ら、Ｍｅｄｉｃａｌ  Ｉｍｍｕｎｏｌｏｇｙ，２０（１）ｐｐ．２７−３２（１９９０）を参照のこと）を、ＨＥＫ２９３Ｆ細胞に導入し、そして、この細胞を培養して、ＦＧＦＲ−５／Ｆｃタンパク質を大量発現させた。次いで、発現産物を含む培養上清を採集し、Ｐｒｏｔｅｉｎ  Ａカラムを用いて精製することによって、ＦＧＦＲ−５／Ｆｃを取得した。
（実施例１：種々の線維芽細胞成長因子（ＦＧＦ）ファミリーのメンバーの、ＨＣＶのシュードタイプウイルスの細胞への感染性に対する影響）
（材料）
細胞：ＨｅｐＧ２
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、ＦＧＦ−１、ＦＧＦ−２、ＦＧＦ−４、ＦＧＦ−５、ＦＧＦ−６、ＦＧＦ−７、ＦＧＦ−８、ＦＧＦ−９、ＦＧＦ−１０、ＦＧＦ−１６、ＦＧＦ−１７、ＦＧＦ−１８、ＦＧＦ−１９、ＦＧＦ−２０、ＥＧＦ、ＨＧＦ（Ｐｅｐｒｏ  Ｔｅｃｈ）
（方法）
ＨｅｐＧ２細胞を、０．８ｘ１０４ｃｅｌｌｓ／ｗｅｌｌ／８０μｌ／９６ｗｐにて播種後、３７℃、５％ＣＯ２で一夜（Ｏ／Ｎ）培養した。上記のヒト由来の各ＦＧＦ、ならびに上皮成長因子（ＥＧＦ）および肝細胞増殖因子（ＨＧＦ）を、上記Ｒｅｐｏｒｔｅｒ  Ａｓｓａｙ  Ｋｉｔのインストラクションに従い、１００μｇ／ｍｌに調製後にＰＢＳにて階段希釈を行ったものを１０μｌ添加した。３７℃、５％ＣＯ２にて１時間反応後、１ｘ１０１０ｇｅｎｏｍｅ／１０μｌのΔＧ／ＳＥＡＰ／ＨＣＶ  Ｅ１Ｅ２または１ｘ１０８ｇｅｎｏｍｅ／１０μｌのΔＧ／ＳＥＡＰ／ＶＳＶ  Ｇを添加し、３７℃、５％ＣＯ２にて２４時間培養した。感染したウイルスから培養上清中に分泌されたＳＥＡＰの量を測定するために、１０μｌの培地をＣｏｒｎｉｎｇ（登録商標）９６Ｗｅｌｌ  Ｂｌａｃｋ  Ｒｏｕｎｄ  Ｂｏｔｔｏｍ  Ｐｏｌｙｓｔｙｒｅｎｅ  Ｎｏｔ  Ｔｒｅａｔｅｄ  Ｍｉｃｒｏｐｌａｔｅ，２５  ｐｅｒ  Ｂａｇ，ｗｉｔｈｏｕｔ  Ｌｉｄ，Ｎｏｎ−Ｓｔｅｒｉｌｅ（Ｃａｔ．＃３７９２）に移し、上記Ｒｅｐｏｒｔｅｒ  Ａｓｓａｙ  Ｋｉｔの阻害液を１０μｌ加え、室温（ＲＴ）にて３０分間反応させた。次に、８０μｌの発光試薬を加え、３７℃にて３０分間反応後、ルミノメータで測定した。得られた値から、いずれの増殖因子も含まない細胞のＳＥＡＰ量を１００％として、各ＦＧＦのＩＣ５０値を求めた。
（結果および考察）
本実験の結果、ＦＧＦ−２、ＦＧＦ−７、ＦＧＦ−８、ＦＧＦ−１７が、ΔＧ／ＳＥＡＰ／ＨＣＶ  Ｅ１Ｅ２の感染を阻害することが明らかとなり、特にＦＧＦ−２とＦＧＦ−７では、その阻害が顕著であった（表１）。このことから、ＦＧＦＲがＨＣＶの細胞感染（細胞接着および／または細胞内取り込み）に関与すること、並びにそのようなＦＧＦＲを介するＨＣＶの細胞感染をＦＧＦ（特にＦＧＦ−２、ＦＧＦ−７、ＦＧＦ−８およびＦＧＦ−１７；中でも特にＦＧＦ−２およびＦＧＦ−７）が阻害することが示唆された。したがって、（ｉ）生来ＦＧＦＲを発現している細胞（例えば、ＨｅｐＧ２）とＨＣＶのシュードタイプウイルスとを用いて細胞感染の程度を評価するアッセイ系は、ＦＧＦＲとの親和性またはＦＧＦＲとＨＣＶとの結合に対する遮断能を有する化合物のなかでＨＣＶの細胞感染を阻害し得るものの選抜または判定に利用でき、（ｉｉ）当該アッセイ系においてＦＧＦとの競合度を評価することにより、ＦＧＦＲとの親和性またはＦＧＦＲとＨＣＶとの結合に対する遮断能を有し且つＨＣＶの細胞感染を阻害し得る化合物をスクリーニングまたは同定することができ、（ｉｉｉ）これらの選抜若しくは判定されまたはスクリーニング若しくは同定された化合物（ＦＧＦを含む）は、ＨＣＶの細胞感染阻害剤としてＣ型肝炎の予防又は治療に利用できる可能性が示された。
【表１】
2006011686.tif 000005
（実施例２：ＦＧＦＲ強制発現細胞に対する、ＨＣＶのシュードタイプウイルスの感染性）
（材料）
細胞：ＣＨＯ−Ｋ１
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、Ｇ４１８（ＰＡＡ  ｌａｂ．）
（機材）
ＦＡＣＳＣａｌｉｂｕｒ（Ｂｅｃｔｏｎ  Ｄｉｃｋｉｎｓｏｎ）
（方法）
ＲＴ−ＰＣＲにてクローニングしたＧｅｎＢａｎｋ登録番号：ＮＭ＿００２０１１に示されるｍＲＮＡ配列の１５７番目から２５６５番目までに相当するヒト由来のＦＧＦＲ−４のｃＤＮＡを発現ベクターｐｃＤＮＡ３．１（−）（Ｉｎｖｉｔｒｏｇｅｎ）のＨｉｎｄＩＩＩ−ＸｂａＩ  ｓｉｔｅに、およびＧｅｎＢａｎｋ登録番号：ＮＭ＿０２１９２３に示されるｍＲＮＡ配列の２３番目から１５３７番目までに相当するＦＧＦＲ−５のｃＤＮＡを発現ベクターｐＥＦ１／ＭｙｃＨｉｓＡ（Ｉｎｖｉｔｒｏｇｅｎ）のＢａｍＨＩ−ＥｃｏＲＩ  ｓｉｔｅに、それぞれ挿入、サブクローニングし、得られた各ベクターでＣＨＯ−Ｋ１細胞をトランスフェクションし、Ｇ４１８（３ｍｇ／ｍｌ）にて選択維持し、必要に応じてセル・ソーターにてさらに選択することにより、各ＦＧＦＲ強制発現ＣＨＯ細胞（ＣＨＯ／ＦＧＦＲ−４、ＣＨＯ／ＦＧＦＲ−５）を得た。これらと、ｐｃＤＮＡ３．１を導入したＣＨＯ−Ｋ１細胞、および非トランスフェクションＣＨＯ−Ｋ１細胞を、８ｘ１０３ｃｅｌｌｓ／ｗｅｌｌ／９０μｌ／９６ｗｐにて播種後、３７℃、５％ＣＯ２でＯ／Ｎ培養した。１ｘ１０１０ｇｅｎｏｍｅ／１０μｌのΔＧ／ＳＥＡＰ／ＨＣＶ  Ｅ１Ｅ２または１ｘ１０１０ｇｅｎｏｍｅ／１０μｌのΔＧ／ＳＥＡＰ／ＶＳＶ  Ｇを感染させ、３７℃、５％ＣＯ２にて１時間吸着後、培地にて１回洗浄し、３７℃、５％ＣＯ２にて２４時間培養した。培養上清中のＳＥＡＰ量を測定するため、１０μｌの培地をＣｏｒｎｉｎｇ（登録商標）９６Ｗｅｌｌ  Ｂｌａｃｋ  Ｒｏｕｎｄ  Ｂｏｔｔｏｍ  Ｐｏｌｙｓｔｙｒｅｎｅ  Ｎｏｔ  Ｔｒｅａｔｅｄ  Ｍｉｃｒｏｐｌａｔｅ，２５  ｐｅｒ  Ｂａｇ，ｗｉｔｈｏｕｔ  Ｌｉｄ，Ｎｏｎ−Ｓｔｅｒｉｌｅ（Ｃａｔ．＃３７９２）に移し、Ｒｅｐｏｒｔｅｒ  Ａｓｓａｙ  Ｋｉｔ（ＴＯＹＯＢＯ  ＳＡＫ−１０１  Ｌｏｔ．３１６１００）の阻害液を１０μｌ加え、室温（ＲＴ）にて３０分間反応させた。次に、８０μｌの発光試薬を加え、３７℃にて３０分間反応後、ＳＥＡＰ量を、ルミノメータで測定した。得られた値から、非トランスフェクション細胞のＳＥＡＰ量を１００として、各細胞のＳＥＡＰ量の相対値を算出した。
（結果および考察）
本実験の結果、図１に示すように、ＣＨＯ／ＦＧＦＲ−４では、ΔＧ／ＳＥＡＰ／ＨＣＶ  Ｅ１Ｅ２の感染性の促進性は僅かであった。それに対して、ＣＨＯ／ＦＧＦＲ−５のΔＧ／ＳＥＡＰ／ＨＣＶ  Ｅ１Ｅ２の感染性は、コントロールに対して、約６倍に上昇した。このことから、ＦＧＦＲ−５がＨＣＶの細胞内侵入に関与していることが示唆された。したがって、ＦＧＦＲ、なかでも特に細胞内侵入に関与するＦＧＦＲ−５を強制発現させた細胞（例えば、ＣＨＯ）とＨＣＶのシュードタイプウイルスとを用いて細胞感染の程度を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用できる可能性が示された。
（実施例３：ＦＧＦＲ強制発現細胞に対する、ＨＣＶ−ＬＰの結合能）
（材料）
細胞：ＣＨＯ−Ｋ１
ウイルス：ＨＣＶ−ＬＰ
試薬：Ｄ−ＭＥＭ  ｈｉｇｈ  ｇｌｕｃｏｓｅ（日研生物）、ＦＢＳ（ＣＴＴ）、ＰＢＳ（−）（日研生物）、Ｇ４１８（ＰＡＡ  ｌａｂ．）、Ｃｏｒｅ  ＥＬＩＳＡ  ｋｉｔ（Ｏｒｔｈｏ−Ｃｌｉｎｉｃａｌ  Ｄｉａｇｎｏｓｔｉｃｓ）
（機材）
ＦＡＣＳＣａｌｉｂｕｒ（Ｂｅｃｔｏｎ  Ｄｉｃｋｉｎｓｏｎ）
（方法）
実施例２と同様の方法により、ＦＧＦＲ強制発現ＣＨＯ細胞（ＣＨＯ／ＦＧＦＲ−４およびＣＨＯ／ＦＧＦＲ−５）を得た。得られたＣＨＯ／ＦＧＦＲ−４およびＣＨＯ／ＦＧＦＲ−５、ならびに非トランスフェクションＣＨＯ−Ｋ１細胞を、５ｘ１０４ｃｅｌｌｓ／ｗｅｌｌ／２８０μｌ／４８ｗｐにて播種後、３７℃、５％ＣＯ２にてＯ／Ｎ培養した。ＨＣＶコアタンパク質３０ｐｇ当量／２０μｌのＨＣＶ−ＬＰ（オーソＨＣＶ抗原ＥＬＩＳＡテスト（体外診断用医薬品；承認番号２１４００ＡＭＺ００４８５０００）で定量）を接種し、４℃にて２時間吸着後、ＰＢＳにて３回洗浄し、細胞を回収した。回収した細胞に吸着したＨＣＶ−ＬＰの量を、コアエライザキットを使用して、キットに添付の説明書に従って測定した。
（結果および考察）
本実験の結果、図２に示すように、ＨＣＶ−ＬＰは、ＣＨＯ／ＦＧＦＲ−４およびＣＨＯ／ＦＧＦＲ−５に特異的に結合した。このことから、ＦＧＦＲ−４およびＦＧＦＲ−５がＨＣＶの細胞接着に関与していることが示唆された。したがって、ＦＧＦＲ（特にＦＧＦＲ−４またはＦＧＦＲ−５）を強制発現させた細胞（例えば、ＣＨＯ）とＨＣＶ−ＬＰとを用いて両者の結合能を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用できる可能性が示された。
（実施例４：ＦＧＦＲ強制発現細胞に対する、患者血漿中のＨＣＶの結合能）
（材料）
細胞：ＣＨＯ−Ｋ１
ウイルス：ウインドウ期ＨＣＶ患者血漿（Ｔｙｐｅ  １ａ）（ＢｉｏＣｌｉｎｉｃａｌ  Ｐａｒｔｎｅｒｓ，Ｉｎｃ．）
試薬：Ｄ−ＭＥＭ  ｈｉｇｈ  ｇｌｕｃｏｓｅ（日研生物）、ＦＢＳ（ＣＴＴ）、ＰＢＳ（−）（日研生物）、Ｇ４１８（ＰＡＡ  ｌａｂ．）、ＴａｑＭａｎ（Ａｐｐｌｉｅｄ  Ｂｉｏｓｙｓｔｅｍｓ）
（機材）
ＡＢＩ  ＰＲＩＳＭ  ７０００（Ａｐｐｌｉｅｄ  Ｂｉｏｓｙｓｔｅｍｓ）
（方法）
実施例２と同様の方法により、ＦＧＦＲ強制発現ＣＨＯ細胞（ＣＨＯ／ＦＧＦＲ−４およびＣＨＯ／ＦＧＦＲ−５）を得た。得られたＣＨＯ／ＦＧＦＲ−４およびＣＨＯ／ＦＧＦＲ−５、ならびに非トランスフェクションＣＨＯ−Ｋ１細胞を、１ｘ１０５ｃｅｌｌｓ／ｗｅｌｌ／５００μｌ／２４ｗｐにて播種後、３７℃、５％ＣＯ２でＯ／Ｎ培養した。ＨＣＶ患者血漿を、各細胞に接種し３７℃で２４時間培養した後、ＰＢＳ（−）にて３回洗浄した。各細胞に結合したＨＣＶのＲＮＡ量を、リアルタイムＰＣＲにて定量した。
（結果および考察）
患者血漿中のＨＣＶは、図３に示すように、ＣＨＯ／ＦＧＦＲ−４およびＣＨＯ／ＦＧＦＲ−５に特異的に結合した。このことから、ＦＧＦＲ−４およびＦＧＦＲ−５は、ＨＣＶと結合する宿主因子であることが示唆された。したがって、ＦＧＦＲ（特にＦＧＦＲ−４またはＦＧＦＲ−５）を強制発現させた細胞（例えば、ＣＨＯ）と患者由来のＨＣＶとを用いて両者の結合能を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用できる可能性が示された。
（実施例５：ＦＧＦＲノックダウン細胞に対する、ＨＣＶのシュードタイプウイルスの感染性）
（材料）
細胞：Ｈｕｈ７
ウイルス：ΔＧ／ＧＦＰ／ＨＣＶ  Ｅ１Ｅ２、ΔＧ／ＧＦＰ／ＶＳＶ−Ｇ
試薬：Ｄ−ＭＥＭ  ｈｉｇｈ  ｇｌｕｃｏｓｅ（日研生物）、ＯＰＴＩ−ＭＥＭ（Ｉｎｖｉｔｒｏｇｅｎ）、ＦＢＳ（ＣＴＴ）、ｃｏｎｔｒｏｌ  ｓｉＲＮＡ、ＦＧＦＲ−４  ｓｉＲＮＡ、ＦＧＦＲ−５  ｓｉＲＮＡ（Ｂ−Ｂｒｉｄｇｅ）、ｓｉＦＥＣＴＯＲ（Ｂ−Ｂｒｉｄｇｅ）
（機材）
ＦＡＣＳＣａｌｉｂｕｒ（Ｂｅｃｔｏｎ  Ｄｉｃｋｉｎｓｏｎ）
（方法）
Ｈｕｈ７細胞を、４ｘ１０５ｃｅｌｌｓ／ｗｅｌｌ／２ｍｌ／６ｗｐにて播種後、３７℃、５％ＣＯ２でＯ／Ｎ培養した。ＦＧＦＲ−４をノックダウンするｓｉＲＮＡ、ＦＧＦＲ−５をノックダウンするｓｉＲＮＡ、およびコントロールとしてＦＧＦＲをノックダウンしないｓｉＲＮＡを、ｓｉＦＥＣＴＯＲのインストラクションに従い、最終濃度４０ｎＭおよび／または８０ｎＭに調製し、培養したＨｕｈ７細胞をトランスフェクションした。各トランスフェクションＨｕｈ７細胞、およびコントロールとして非トランスフェクションＨｕｈ７細胞を、３７℃、５％ＣＯ２にて２４時間培養後、再播種し３７℃、５％ＣＯ２にて２４時間培養後、ｍ．ｏ．ｉ．（感染多重度）０．１でΔＧ／ＧＦＰ／ＨＣＶ  Ｅ１Ｅ２、またはΔＧ／ＧＦＰ／ＶＳＶ−Ｇを接種した。さらに、３７℃、５％ＣＯ２にて２４時間培養し、ＧＦＰポジティブ細胞をＦＡＣＳにてカウントしてその陽性率を、非トランスフェクション細胞のＧＦＰ量を１００％として算出した。
（結果および考察）
本実験の結果、図４に示すように、Ｈｕｈ７細胞のＦＧＦＲ−４をノックダウンすると、ΔＧ／ＧＦＰ／ＨＣＶ  Ｅ１Ｅ２の感染性が、ｓｉＲＮＡの濃度に依存して阻害されることが明らかとなった。また、ＦＧＦＲ−５ノックダウンＨｕｈ７細胞では、同じ濃度のｓｉＲＮＡの存在下で、ＦＧＦＲ−４ノックダウン細胞よりもより強い感染阻害が認められた。このことより、ＦＧＦＲ−４は、ＨＣＶの細胞内侵入には積極的に関与していないが、細胞接着には一定の役割を担っていることが示唆された。また、ＦＧＦＲ−５は、ＨＣＶの細胞接着および細胞内侵入に関与していることが示唆された。
（実施例６：可溶化させたＦＧＦＲ−１〜ＦＧＦＲ−４の、ＨＣＶのシュードタイプウイルスの細胞への感染性に対する影響）
（材料）
細胞：ＨｅｐＧ２
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、ＦＧＦＲ−１αＩＩＩｂ／Ｆｃ、ＦＧＦＲ−１βＩＩＩｂ／Ｆｃ、ＦＧＦＲ−１αＩＩＩｃ／Ｆｃ、ＦＧＦＲ−１βＩＩＩｃ／Ｆｃ、ＦＧＦＲ−２αＩＩＩｂ／Ｆｃ、ＦＧＦＲ−２βＩＩＩｂ／Ｆｃ、ＦＧＦＲ−２αＩＩＩｃ／Ｆｃ、ＦＧＦＲ−２βＩＩＩｃ／Ｆｃ、ＦＧＦＲ−３αＩＩＩｃ／Ｆｃ、ＦＧＦＲ−４／Ｆｃ（ＳＩＧＭＡ）
（方法）
ＨｅｐＧ２細胞を、８ｘ１０３ｃｅｌｌｓ／ｗｅｌｌ／８０μｌ／９６ｗｐにて播種後、３７℃、５％ＣＯ２でＯ／Ｎ培養した。可溶化させたＦＧＦＲとして各ＦＧＦＲ／Ｆｃを上記Ｒｅｐｏｒｔｅｒ  Ａｓｓａｙ  Ｋｉｔのインストラクションに従い１００μｇ／ｍｌに調製後にＰＢＳにて階段希釈を行ったもの１０μｌに、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを添加して、３７℃、５％ＣＯ２にて１時間反応させた。各ＦＧＦＲ／Ｆｃ−ウイルス混合液、およびコントロールとして各ウイルスのみを、培養したＨｅｐＧ２細胞に接種し、３７℃、５％ＣＯ２にて１時間吸着後、培養液で２回洗浄した。３７℃、５％ＣＯ２にて２４時間培養後、培養上清中のＳＥＡＰ量を測定し、得られた値から、ΔＧ／ＳＥＡＰ／ＨＣＶ  Ｅ１Ｅ２のみを接種した細胞の感染量を１００％として、各ＦＧＦＲ／Ｆｃ処理細胞の相対感染率（％）を算出した。
（結果および考察）
本実験の結果、図５に示すように、可溶化させた、ＦＧＦＲ−１βＩＩＩｂ、ＦＧＦＲ−１βＩＩＩｃ、ＦＧＦＲ−２βＩＩＩｂ、ＦＧＦＲ−２αＩＩＩｃ、ＦＧＦＲ−４により、ΔＧ／ＳＥＡＰ／ＨＣＶ  Ｅ１Ｅ２の感染性は阻害された。このことから、ＦＧＦＲ−１〜ＦＧＦＲ−４（特にＦＧＦＲ−４）がＨＣＶの細胞感染（少なくとも細胞接着または細胞内侵入）に関与すること、並びにそのようなＦＧＦＲ−１〜ＦＧＦＲ−４（特にＦＧＦＲ−４）を介するＨＣＶの細胞感染を可溶化させたＦＧＦＲ−１〜ＦＧＦＲ−４（特にＦＧＦＲ−４）が阻害することが示唆された。したがって、（ｉ）生来ＦＧＦＲを発現している細胞（例えば、ＨｅｐＧ２）、ＨＣＶのシュードタイプウイルス及び可溶化させたＦＧＦＲを用いて細胞感染に対する可溶化させたＦＧＦＲの競合度を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用でき、また、（ｉｉ）可溶化させたＦＧＦＲ自体は、ＨＣＶの細胞感染阻害剤としてＣ型肝炎の予防又は治療にも利用できる可能性が示された。
（実施例７：可溶化させたＦＧＦＲ−５の、ＨＣＶのシュードタイプウイルスの細胞への感染性に対する影響）
（材料）
細胞：ＨｅｐＧ２
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、ＦＧＦＲ−５／Ｆｃ
（方法）
ＨｅｐＧ２細胞を、８ｘ１０３ｃｅｌｌｓ／ｗｅｌｌ／８０μｌ／９６ｗｐにて播種後、３７℃、５％ＣＯ２でＯ／Ｎ培養した。製造例３に従って作製した可溶化させたＦＧＦＲ−５（ＦＧＦＲ−５／Ｆｃ）を１００μｇ／ｍｌに調製後にＰＢＳにて階段希釈した。次いで、希釈によって調製した一連の濃度のＦＧＦＲ−５／Ｆｃについて、（Ａ）１０μｌのＦＧＦＲ−５／Ｆｃと、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを混合して、３７℃、５％ＣＯ２にて１時間反応させた後、各ＦＧＦＲ−５／Ｆｃ−ウイルス混合液を、培養したＨｅｐＧ２細胞に接種するか、（Ｂ）１０μｌのＦＧＦＲ−５／Ｆｃと、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇとの混合と同時に、培養したＨｅｐＧ２細胞に接種するか、あるいは（Ｃ）１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを培養したＨｅｐＧ２細胞に接種して、３７℃、５％ＣＯ２にて１時間培養した後、１０μｌのＦＧＦＲ−５／Ｆｃを添加した。コントロールとして各ウイルスのみを、培養したＨｅｐＧ２細胞に接種した。これらの細胞を３７℃、５％ＣＯ２にて２４時間培養後、Ｒｅｐｏｒｔｅｒ  Ａｓｓａｙ  Ｋｉｔのインストラクションに従って、培養上清中のＳＥＡＰ量を測定し、各濃度のＦＧＦＲ−５／Ｆｃによるウイルスの細胞感染の阻害率（％）を、ウイルスのみを接種した細胞のＳＥＡＰ量を基準として算出した。
（結果および考察）
本実験の結果、図６に示すように、ＦＧＦＲ−５／Ｆｃにより、用量依存的に、ΔＧ／ＳＥＡＰ／ＨＣＶ  Ｅ１Ｅ２のＨｅｐＧ２細胞への感染は阻害された。ＦＧＦＲ−５／Ｆｃは、実施例６におけるＦＧＦＲ−４／Ｆｃを始めとする他のＦＧＦＲ／Ｆｃよりも、ウイルスと混合させた後に細胞に接種させた場合（上記（Ａ））において、より低いＦＧＦＲ／Ｆｃ濃度でより強い感染阻害効果を示した。また、ＦＧＦＲ−５／Ｆｃは、ウイルスのみを細胞に接種させた後で添加した場合（上記（Ｃ））においては、ウイルスと混合させた後に細胞に接種させた場合と比べて、その感染阻害効果は低下するものの、依然として有意に、ΔＧ／ＳＥＡＰ／ＨＣＶ  Ｅ１Ｅ２のＨｅｐＧ２細胞への感染を阻害した。このことにより、ＦＧＦＲ−５がＨＣＶの細胞感染（特に、細胞内侵入）に関与すること、並びにそのようなＦＧＦＲ−５を介するＨＣＶの細胞感染を可溶化させたＦＧＦＲ−５が強力に阻害することが示唆された。したがって、可溶化させたＦＧＦＲ、なかでも可溶化させたＦＧＦＲ−５は、ＨＣＶの細胞感染阻害剤としてＣ型肝炎の予防又は治療に利用できる可能性が示された。
（実施例８：抗マウスＦＧＦＲ−５ポリクローナル抗体の、ＨＣＶのシュードタイプウイルスのＨｅｐＧ２細胞への感染性に対する影響）
（材料）
細胞：ＨｅｐＧ２
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、抗マウスＦＧＦＲ−５ポリクローナル抗体（Ｒ＆Ｄ  Ｓｙｓｔｅｍｓ  Ｃａｔａｌｏｇ  Ｎｏ．ＡＦ１８９９）
（方法）
ＨｅｐＧ２細胞を、０．８ｘ１０４ｃｅｌｌｓ／ｗｅｌｌ／８０μｌ／９６ｗｐにて播種後、３７℃、５％ＣＯ２でＯ／Ｎ培養した。抗マウスＦＧＦＲ−５ポリクローナル抗体を３００μｇ／ｍｌに調製後にＰＢＳにて階段希釈を行ったものを１０μｌ添加した。３７℃、５％ＣＯ２にて１時間反応後、１ｘ１０１０ｇｅｎｏｍｅ／１０μｌのΔＧ／ＳＥＡＰ／ＨＣＶ  Ｅ１Ｅ２または１ｘ１０８ｇｅｎｏｍｅ／１０μｌのΔＧ／ＳＥＡＰ／ＶＳＶ  Ｇを添加し、３７℃、５％ＣＯ２にて２４時間培養した。Ｒｅｐｏｒｔｅｒ  Ａｓｓａｙ  Ｋｉｔのインストラクションに従って、各々の培養上清中のＳＥＡＰ量を測定し、抗マウスＦＧＦＲ−５抗体による、ΔＧ／ＳＥＡＰ／ＨＣＶ  Ｅ１Ｅ２およびΔＧ／ＳＥＡＰ／ＶＳＶ  Ｇの細胞への感染の阻害率（％）を、各ウイルスのみを接種した細胞のＳＥＡＰ量を基準として算出した。
（結果および考察）
本実験の結果、図７に示すように、抗マウスＦＧＦＲ−５抗体により、用量依存的に、ΔＧ／ＳＥＡＰ／ＨＣＶ  Ｅ１Ｅ２の細胞への感染が阻害された。このことから、ＦＧＦＲとの親和性またはＦＧＦＲとＨＣＶとの結合に対する遮断能を有する化合物（例えば、ＦＧＦＲ−５と親和性を有する抗体）は、ＨＣＶの細胞感染阻害剤としてＣ型肝炎の予防又は治療に利用できる可能性が示された。
（実施例９：可溶化させたＦＧＦＲ−５の、患者血漿中のＨＣＶの細胞への結合能に対する影響）
（材料）
細胞：ＨｅｐＧ２及びＨｕｈ７
ウイルス：ウインドウ期ＨＣＶ患者血漿（Ｔｙｐｅ  １ａ）（ＢｉｏＣｌｉｎｉｃａｌ  Ｐａｒｔｎｅｒｓ，Ｉｎｃ．）
試薬：Ｄ−ＭＥＭ  ｈｉｇｈ  ｇｌｕｃｏｓｅ（日研生物）、ＦＢＳ（ＣＴＴ）、ＰＢＳ（−）（日研生物）、ＴａｑＭａｎ（Ａｐｐｌｉｅｄ  Ｂｉｏｓｙｓｔｅｍｓ）、ＦＧＦＲ−５／Ｆｃ
（機材）
ＡＢＩ  ＰＲＩＳＭ  ７０００（Ａｐｐｌｉｅｄ  Ｂｉｏｓｙｓｔｅｍｓ）
（方法）
ＨｅｐＧ２及びＨｕｈ７細胞をそれぞれ、１ｘ１０５ｃｅｌｌｓ／ｗｅｌｌ／５００μｌ／２４ｗｐにて播種後、３７℃、５％ＣＯ２でＯ／Ｎ培養した。製造例３に従って作製した可溶化させたＦＧＦＲ−５（ＦＧＦＲ−５／Ｆｃ）を１００μｇ／ｍｌに調製後にＰＢＳにて階段希釈した。次いで、希釈によって調製した一連の濃度のＦＧＦＲ−５／Ｆｃ  １０μｌと、ＨＣＶゲノムＲＮＡ（１ｘ１０６コピー／５μｌ）を含有するＨＣＶ患者血漿とを培地中に混合して５００μｌとし、３７℃、５％ＣＯ２にて１時間反応させた。またコントロールとしてＨＣＶゲノムＲＮＡ（１ｘ１０６コピー／５μｌ）を含有するＨＣＶ患者血漿のみを含む培地５００μｌを調製した。各ＦＧＦＲ−５／Ｆｃ−ＨＣＶ患者血漿混合液及びコントロールを、それぞれ培地を交換することにより各細胞に接種し、３７℃で２４時間培養した後、ＰＢＳ（−）にて３回洗浄した。各細胞に結合したＨＣＶのＲＮＡ量を、リアルタイムＰＣＲにて定量した。
（結果および考察）
本実験の結果、図８に示すように、ＦＧＦＲ−５／Ｆｃにより、用量依存的に、患者血漿中のＨＣＶのＨｅｐＧ２およびＨｕｈ７細胞への結合は阻害された。このことにより、ＦＧＦＲ−５がＨＣＶの細胞感染（少なくとも細胞接着）に関与すること、並びにそのようなＦＧＦＲ−５を介するＨＣＶの細胞感染を可溶化させたＦＧＦＲ−５が強力に阻害することが示唆された。したがって、（ｉ）生来ＦＧＦＲを発現している細胞（例えば、ＨｅｐＧ２やＨｕｈ７）、患者由来のＨＣＶ及び可溶化させたＦＧＦＲを用いて細胞感染に対する可溶化させたＦＧＦＲの競合度を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用できる可能性、及び、（ｉｉ）ＦＧＦＲとＨＣＶとの結合に対する遮断能を有し且つＨＣＶの細胞感染を阻害する化合物（例えば、可溶化させたＦＧＦＲ、なかでも可溶化させたＦＧＦＲ−５）は、ＨＣＶの細胞感染阻害剤としてＣ型肝炎の予防又は治療に利用できる可能性が示された。
（実施例１０：可溶化させたＦＧＦＲ−５の、ＨＣＶのシュードタイプウイルスの初代培養ヒト肝細胞への感染性に対する影響）
（材料）
細胞：初代培養ヒト肝細胞
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ（ＴＯＹＯＢＯ  ＳＡＫ−１０１  Ｌｏｔ．３１６１００）、ＦＧＦＲ−５／Ｆｃ
（方法）
初代培養ヒト肝細胞を、８ｘ１０３ｃｅｌｌｓ／ｗｅｌｌ／８０μｌ／９６ｗｐにて播種後、３７℃、５％ＣＯ２でＯ／Ｎ培養した。製造例３に従って作製した可溶化させたＦＧＦＲ−５（ＦＧＦＲ−５／Ｆｃ）を１００μｇ／ｍｌに調製後にＰＢＳにて階段希釈した。次いで、希釈によって調製した一連の濃度のＦＧＦＲ−５／Ｆｃ  １０μｌと、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを混合して、３７℃、５％ＣＯ２にて１時間反応させた。各ＦＧＦＲ−５／Ｆｃ−ウイルス混合液、及びコントロールとして各ウイルスのみを、培養した細胞に接種した。これらの細胞を３７℃、５％ＣＯ２にて２４時間培養後、Ｒｅｐｏｒｔｅｒ  Ａｓｓａｙ  Ｋｉｔのインストラクションに従って、培養上清中のＳＥＡＰ量を測定し、各濃度のＦＧＦＲ−５／Ｆｃ処理細胞におけるウイルスの感染率（％）を、ウイルスのみを接種した細胞のＳＥＡＰ量を基準として算出した。
（結果および考察）
本実験の結果、図９に示すように、ＦＧＦＲ−５／Ｆｃにより、用量依存的に、ΔＧ／ＳＥＡＰ／ＨＣＶ  Ｅ１Ｅ２の初代培養ヒト肝細胞への感染は阻害された。このことにより、ＦＧＦＲ−５がＨＣＶの細胞感染（特に、細胞内侵入）に関与すること、並びにそのようなＦＧＦＲ−５を介するＨＣＶの細胞感染を可溶化させたＦＧＦＲ−５が強力に阻害することが示唆された。したがって、（ｉ）生来ＦＧＦＲを発現している細胞（例えば、初代培養ヒト肝細胞）、ＨＣＶのシュードタイプウイルス及び可溶化させたＦＧＦＲを用いて細胞感染に対する可溶化させたＦＧＦＲの競合度を評価するアッセイ系は、ＦＧＦＲとの親和性またはＦＧＦＲとＨＣＶとの結合に対する遮断能を有し且つＨＣＶの細胞感染を阻害し得る化合物のスクリーニングまたは同定に利用できる可能性、及び、（ｉｉ）ＦＧＦＲとＨＣＶとの結合に対する遮断能を有し且つＨＣＶの細胞感染を阻害する化合物（可溶化させたＦＧＦＲ、なかでも可溶化させたＦＧＦＲ−５）は、ＨＣＶの細胞感染阻害剤としてＣ型肝炎の予防又は治療に利用できる可能性が示された。
（製造例４：抗ＦＧＦＲ−５モノクローナル抗体の作製）
（１）ＦＬＡＧ−ＦＧＦＲ５発現ベクターの構築
（材料）
試薬：ｐＥＦ１／ＦＧＦＲ５；
プライマー（日本バイオサービス）
１．ＴＡＡ  ＴＡＣ  ＧＡＣ  ＴＣＡ  ＣＴＡ  ＴＡＧ  ＧＧＡ  ＧＡＣ  ＣＣＡ  ＡＧＣ  ＴＧＧ  ＣＴＡ  ＧＴＴ  ＡＡＧ  ＣＴＴ  ＧＧＴ  Ａ（配列番号６）
２．ＴＴＴ  ＡＴＣ  ＧＴＣ  ＡＴＣ  ＧＴＣ  ＴＴＴ  ＧＴＡ  ＧＴＣ  ＣＴＴ  ＴＧＧ  ＧＧＧ  ＧＣＣ  ＴＣＧ  ＧＧＣ  ＧＧＣ  ＧＧＣ  Ｇ（配列番号７）
３．ＧＡＣ  ＴＡＣ  ＡＡＡ  ＧＡＣ  ＧＡＴ  ＧＡＣ  ＧＡＴ  ＡＡＡ  ＡＴＧ  ＧＣＧ  ＧＡＣ  ＡＡＧ  ＧＴＧ  ＧＴＣ  ＣＣＡ  ＣＧＧ  Ｃ（配列番号８）
４．ＧＣＴ  ＴＧＧ  ＴＡＣ  ＣＧＡ  ＧＣＴ  ＣＧＧ  ＡＴＣ  ＣＧＣ（配列番号９）
＊下線部は新たに挿入するＦＬＡＧ配列；
ＫＯＤ−ｐｌｕｓ  ｐｏｌｙｍｅｒａｓｅ  （ＴＯＹＯＢＯ  Ｃａ＃ＫＯＤ−２０１）；
ＧｅｎｅＡｍｐ  ＰＣＲ  Ｓｙｓｔｅｍ  ９６００（Ｐｅｒｋｉｎ  Ｅｌｍｅｒ）；
ＱＩＡｑｕｉｃｋ  ｇｅｌ  ｅｘｔｒａｃｔｉｏｎ  ｋｉｔ（ＱＩＡＧＥＮ  Ｃａ＃２８７０４）；
Ｋｌｅｎｏｗ  ｆｒａｇｍｅｎｔ（Ｔａｋａｒａ  Ｃａ＃２１１４Ａ）；
ＱＩＡｑｕｉｃｋ  ｎｕｃｌｅｏｔｉｄｅ  ｒｅｍｏｖａｌ  ｋｉｔ（ＱＩＡＧＥＮ  Ｃａ＃２８３０４）；
ＢａｍＨ  Ｉ  （ＴＯＹＯＢＯ）；
Ｃｌａ  Ｉ  （Ｔａｋａｒａ）；
ＤＮＡ  ｌｉｇａｔｉｏｎ  ｋｉｔ（Ｔａｋａｒａ  Ｃａ＃６０２２）；
ＪＭ１０９（Ｔａｋａｒａ  Ｃａ＃９０５２）；
Ｅｎｄｏｆｒｅｅ  Ｐｌａｓｍｉｄ  Ｍａｘｉ  ｋｉｔ（ＱＩＡＧＥＮ  Ｃａ＃１２３６２）
（方法）
ＦＧＦＲ５（ＧｅｎＢａｎｋ登録番号：ＮＭ＿０２１９２３；配列番号２２及び２３）のＮ末端（シグナル配列のＣ末端）に位置する３０番目のリジンと３１番目のメチオニンの間にＦＬＡＧを挿入した発現ベクターを作製した。
ＦＧＦＲ５遺伝子の供給源として、ｐＥＦ１／ｍｙｓＨｉｓＡベクター（Ｉｎｖｉｔｒｏｇｅｎ）のＢａｍＨＩ及びＥｃｏＲＩ部位に、全長ＦＧＦＲ５配列をクローニングして作製したｐＥＦ１／ＦＧＦＲ５プラスミドを用いた。
プライマー１（Ｆｏｒｗａｒｄ）と２（Ｒｅｖｅｒｓｅ）の組み合わせによりＦＬＡＧ挿入部よりもＮ末端側のＦＧＦＲ５の配列、ならびにプライマー３（Ｆｏｒｗａｒｄ）と４（Ｒｅｖｅｒｓｅ）の組み合わせによりＦＬＡＧ挿入部よりもＣ末端側のＦＧＦＲ５の配列を、プライマー２と３によりＦＬＡＧ配列を付加する形で、ＰＣＲにより増幅した。ＰＣＲ反応は、ＫＯＤ−ｐｌｕｓｐｏｌｙｍｅｒａｓｅに示されたプロトコールに従って、総量５０μＬの溶液中に、鋳型として４０ｎｇのｐＥＦ１／ＦＧＦＲ５プラスミド溶液を添加して行った。反応条件は９４℃で１分間、５０℃で１分間、６８℃で１分間を１サイクルとして、３０サイクル繰り返した。得られたＤＮＡ断片をＱＩＡｑｕｉｃｋ  ｇｅｌ  ｅｘｔｒａｃｔｉｏｎ  ｋｉｔにより精製し、Ｋｌｅｎｏｗ  ｆｒａｇｍｅｎｔによる平滑末端化、ＱＩＡｑｕｉｃｋ  ｎｕｃｌｅｏｔｉｄｅ  ｒｅｍｏｖａｌ  ｋｉｔによる再精製を実施した後に、得られた２つのＤＮＡ断片、およびプライマー１（Ｆｏｒｗａｒｄ）と４（Ｒｅｖｅｒｓｅ）を用いて、２回目のＰＣＲを実施した（反応条件などは１回目のＰＣＲと同様の条件）。
得られたＰＣＲ産物およびｐＥＦ１／ＦＧＦＲ５を、ＢａｍＨ  ＩとＣｌａ  Ｉにより切り出し、ＱＩＡｑｕｉｃｋ  ｇｅｌ  ｅｘｔｒａｃｔｉｏｎ  ｋｉｔによる精製を行うことでＦＬＡＧ挿入型ＦＧＦＲ５遺伝子断片、およびＢａｍＨ  ＩとＣｌａ  Ｉによって切断されたプラスミド断片を得た。得られた２種類のＤＮＡ断片を、ＤＮＡ  ｌｉｇａｔｉｏｎ  ｋｉｔを用いて、添付のプロトコールに従って、ライゲーション反応を実施した後に、ＪＭ１０９への形質転換を実施した。コロニーＰＣＲにより目的の遺伝子を増幅したものに関して、Ｅｎｄｏｆｒｅｅ  Ｐｌａｓｍｉｄ  Ｍａｘｉ  ｋｉｔを用いて、エンドトキシンフリーの形でプラスミド溶液の大量調製を実施して、ＦＬＡＧ挿入型ＦＧＦＲ５発現ベクターとした。また、得られたベクターは、シークエンス解析により、目的の遺伝子配列を持つことを確認した。シークエンス解析は常法に従って行い、プライマーはＦＧＦＲ５発現ベクターの構築時と同様のものを用いた。
（２）ＦＬＡＧ−ＦＧＦＲ５恒常発現ＣＨＯ細胞の取得と免疫用抗原の調製
（材料）
試薬：ＧｅｎｅＪａｍｍｅｒ  Ｔｒａｎｓｆｅｃｔｉｏｎ  ｒｅａｇｅｎｔ（ＳＴＲＡＴＡＧＥＮＥ  Ｃａ＃２０４１３０−２１）；
Ｄ−ＭＥＭ（Ｈｉｇｈ  ｇｌｕｃｏｓｅ）（Ｎｉｋｋｅｎ  Ｃａ＃ＣＭ４４０２）；
ＰＢＳ（−）（Ｎｉｋｋｅｎ  Ｃａ＃ＣＭ６２０１）；
ＦＢＳ（ＣＣＴ  Ｃａ＃３００８−５０２）；
Ｇ４１８（ＰＡＡ  Ｃａ＃Ｐ０２−０１２）；
抗ＦＬＡＧ抗体（Ｓｉｇｍａ）；
抗マウスＩｇ−ＰＥ標識２次抗体（Ｐｈａｒｍｉｎｇｅｎ  ＢＤ）；
３０％  ＢＳＡ（Ｓｉｇｍａ）
機器：ＦＡＣＳｏｒｔ（ＢＤ）
（方法）
上記（１）にて調製したＦＬＡＧ−ＦＧＦＲ５発現ベクター５μｇを、前日に１Ｘ１０６で１０ｃｍディッシュに播種したＣＨＯ細胞に、ＧｅｎｅＪａｍｍｅｒ  ｔｒａｎｓｆｅｃｔｉｏｎ試薬を用いてメーカーのインストラクションに従い導入した。導入の翌日に、３ｍｇ／ｍＬのＧ４１８を培地に加え、薬剤による選択を行い、ＦＬＡＧ−ＦＧＦＲ５恒常発現ＣＨＯ細胞を調製した。
得られた３Ｘ１０７個のＦＬＡＧ−ＦＧＦＲ５恒常発現ＣＨＯ細胞をＰＢＳ（−）で洗浄後、５ｍＭ  ＥＤＴＡ及び０．５％ＢＳＡ含有ＰＢＳ（−）を用いてピペッティングにより、細胞をディッシュから浮遊させて回収した。回収後、０．５％ＢＳＡ含有ＰＢＳ（−）を用いて細胞を洗浄し、５μｇ／ｍＬの抗ＦＬＡＧ抗体を含む０．５％ＢＳＡ含有ＰＢＳ（−）に細胞を懸濁し、４℃にて抗体反応を１時間行った。反応後、０．５％ＢＳＡ含有ＰＢＳ（−）を用いて細胞を２回洗浄し、０．５％ＢＳＡ含有ＰＢＳ（−）で４００倍に希釈した抗マウスＩｇ−ＰＥ標識２次抗体と、４℃にて抗体反応を１時間行った。反応後、０．５％ＢＳＡ含有ＰＢＳ（−）を用いて細胞を２回洗浄し、ＦＡＣＳｏｒｔにて細胞の選別を実施した。この選別作業を２回繰り返した。
上記により得られたＦＬＡＧ−ＦＧＦＲ５高発現ＣＨＯ細胞を、１．０×１０６ｃｅｌｌｓ／２０ｍｌ／１５ｃｍ  ｄｉｓｈで１００枚のディッシュにて４日間培養し、ＰＢＳ（−）／１０ｍＭ  ＥＤＴＡを用いて細胞を回収し、遠心操作によって上清を取り除いた後に、液体窒素により凍結した。氷上にて凍結した細胞を融解し、プロテアーゼインヒビターを含む緩衝液（０．２５Ｍ  Ｓｕｃｒｏｓｅ／１０ｍＭ  ＭｇＣｌ２／２５ｍＭ  ＨＥＰＥＳ（ｐＨ７．４））に懸濁し、ポッター式ホモジナイザーを用いて、２０００ｒｐｍ、５０ｓｔｒｏｋｅｓのホモジナイズを実施した。１５００ｒｐｍ、４℃で１０分間遠心して上清を回収し、沈殿に新たな緩衝液を添加し同様の操作を行った。２回のホモジナイズにより得られた上清から、５００００ｒｐｍ、４℃で１時間の遠心により沈殿を回収し、ＰＢＳ（−）に懸濁することで細胞膜画分とし、これを免疫抗原とした。
（３）ハイブリドーマの作製と抗体の調製
細胞：ＰＡＩ  ｍｏｕｓｅ  ｍｙｅｌｏｍａ
動物：Ｂａｌｂ／ｃマウス  ４週齢
試薬：ＦＣＡ  Ｆｒｅｕｎｄ’ｓ  Ｃｏｍｐｌｅｔｅ  Ａｄｊｕｂａｎｄ（ＣＡＰＰＥＬ  Ｃａ＃５５８２８）；
ＦＩＡ（Ｆｒｅｕｎｄ’ｓ  Ｉｎｃｏｍｐｌｅｔｅ  Ａｄｊｕｂａｎｄ；ＣＡＰＰＥＬ  Ｃａ＃５５８２９）；
ＰＥＧ１５００（Ｒｏｃｈｅ，Ｃａ＃７８３６４１）；
ＫＢＭ培地（コージンバイオＣａ＃  １６００９６００）；
１ｘ  ＨＡＴ（コスモバイオ，１６２１３００４）；
１ｘ  ＨＴ（コスモバイオ，１６２１４００４）；
１ｘ  Ｐｅｎｉｃｉｌｌｉｎ−ｓｔｒｅｐｔｍｙｃｉｎ−Ｇｌｕｔａｍｉｎｅ（ＧＩＢＣＯ  ＢＲＬ，Ｃａ＃１０３７８−０１６）；
１０％  ＦＣＳ（ＰＡＡ，Ｕｌｔｒａ  Ｌｏｗ  ＩｇＧ）；
１％  ＮＥＡＡ（ＧＩＢＣＯ  ＢＲＬ，Ｃａ＃１１１４０−０５０）；
１％  Ｔ−ＳＴＩＭ（ＢＤ，Ｃａ＃３５４１１６）
（方法）
上記（２）において得られた細胞膜画分を、初回はＦＣＡ、２回目はＦＩＡ、３回目は膜画分のみを用いて、マウスのフットパッド（ｆｏｏｔ  ｐａｄ）に片足あたり５０μＬを免疫した。３回目の免疫の２日後に、マウスの膝窩、鼠蹊及び腸骨リンパ節を回収して洗浄した後、定法に従い、ＰＡＩ細胞との融合を行った。融合細胞は、ＫＢＭ培地（Ｇｌｕｔａｍｉｎｅ  Ｐ／Ｓ，ＮＥＡＡ，Ｔ  ＳＴＩＭ，ＨＡＴ及びＵＬ  ＦＢＳを含む）に再懸濁し、９６ウェルプレートに播種した。細胞融合後、約１０日間の培養を行い、抗ＦＧＦＲ−５モノクローナル抗体を含む培養上清を得た。
（実施例１１：抗ＦＧＦＲ−５モノクローナル抗体の、ＦＧＦＲ−５との親和性に基づくスクリーニング）
（１）スクリーニング用ＦＧＦＲ５恒常発現ＣＨＯ細胞の取得
（材料）
試薬：ｐＥＦ１／ＦＧＦＲ５；
ＦｕＧＥＮＥ６  ｔｒａｎｓｆｅｃｔｉｏｎ  ｒｅａｇｅｎｔ（Ｒｏｃｈｅ  Ｃａ＃１−８１４−４４３）；
Ｈａｍ’ｓ  Ｆ１２  （ＧＩＢＣＯ  ＢＲＬ  Ｃａ＃１１７６５−０５４）；
ＰＢＳ（−）（Ｎｉｋｋｅｎ  Ｃａ＃ＣＭ６２０１）；
ＦＢＳ（ＣＣＴ  Ｃａ＃３００８−５０２）；
Ｇ４１８（ＰＡＡ  Ｃａ＃Ｐ０２−０１２）；
抗ＦＬＡＧ抗体（Ｓｉｇｍａ）；
抗マウスＩｇ−ＰＥ標識２次抗体（Ｐｈａｒｍｉｎｇｅｎ  ＢＤ）；
３０％ＢＳＡ（Ｓｉｇｍａ）；
抗ＦＧＦＲ５モノクローナル抗体Ｒ５Ｂ１−２１
機器：ＦＡＣＳｏｒｔ
（方法）
実施例１０の（１）にて調製したＦＬＡＧ−ＦＧＦＲ５発現ベクター６μｇを、前日に１．２Ｘ１０６で１０ｃｍディッシュに播種したＣＨＯ細胞に、ＦｕＧＥＮＥ６  ｔｒａｎｓｆｅｃｔｉｏｎ  ｒｅａｇｅｎｔ試薬を用いて、メーカーのインストラクションに従い導入した。導入の翌日に、３ｍｇ／ｍＬのＧ４１８を培地に加え、薬剤による選択を行い、ＦＧＦＲ５恒常発現ＣＨＯ細胞を調製した。
得られた３Ｘ１０７個のＦＧＦＲ５恒常発現ＣＨＯ細胞をＰＢＳ（−）で洗浄後、５ｍＭ  ＥＤＴＡ及び０．５％ＢＳＡ含有ＰＢＳ（−）を用いてピペッティングにより、細胞をディッシュから浮遊させて回収した。回収後、０．５％ＢＳＡ含有ＰＢＳ（−）を用いて細胞を洗浄し、５μｇ／ｍＬの抗ＦＧＦＲ５モノクローナル抗体Ｒ５Ｂ１−２１（製造例４に従って取得され、予めＦＧＦＲ／Ｆｃを用いてＦＧＦＲ−５への特異的結合が確認された抗体）を含む０．５％ＢＳＡ含有ＰＢＳ（−）に細胞を懸濁し、４℃にて抗体反応を１時間行った。反応後、０．５％ＢＳＡ含有ＰＢＳ（−）を用いて細胞を２回洗浄し、０．５％ＢＳＡ含有ＰＢＳ（−）に４００倍希釈した抗マウスＩｇ−ＰＥ標識２次抗体と、４℃にて抗体反応を１時間行った。反応後、０．５％ＢＳＡ含有ＰＢＳ（−）を用いて細胞を２回洗浄し、ＦＡＣＳｏｒｔにて細胞の選別を実施した。この選別作業を２回繰り返し、ＦＧＦＲ５恒常発現ＣＨＯ細胞を取得し、これをスクリーニング用抗原発現細胞とした。
（２）スクリーニング方法
（材料）
試薬：Ｈａｍ’ｓ  Ｆ１２培地（ＧＩＢＣＯ  ＢＲＬ  Ｃａ＃１１７６５−０５４）；
ＰＢＳ（−）（Ｎｉｋｋｅｎ  Ｃａ＃ＣＭ６２０１）；
ＦＢＳ（ＣＣＴ  Ｃａ＃３００８−５０２）；
Ｇ４１８（ＰＡＡ  Ｃａ＃Ｐ０２−０１２）；
Ａｎｔｉ−ｍｏｕｓｅ  Ｉｇ  ＨＲＰ（Ａｍｅｒｓｈａｍ  Ｃａ＃ＮＡ９３１０）
測定機器：Ｍｏｌｅｃｕｌａｒ  Ｄｅｖｉｃｅｓ  ＴＨＥＲＭＯ  ｍａｘ  ｍｉｃｒｏ  ｐｌａｔｅ  ｒｅａｄｅｒ
（方法および結果）
上記（１）により取得したＦＧＦＲ５恒常発現ＣＨＯ細胞、及びコントロールとして空の発現用ベクターを導入したＣＨＯ細胞を、９６ウェルプレートのＢ、Ｄ、Ｆ、Ｈ行、Ａ、Ｃ、Ｅ、Ｇ行にそれぞれ播種し、２日若しくは３日間培養を行った。培地を除去した後、細胞融合後の培養で得られたハイブリドーマの培養上清を、５０μＬ／ｗｅｌｌにて各々のウェルにアプライした。アプライ後、室温で１時間３０分以上インキュベートして、培養上清を除去した後、１％ＦＢＳ／ＰＢＳ（−）を用いてウェルを２回洗浄し、培地で２０００倍に希釈した抗マウスＩｇ−ＨＲＰ抗体（５０μＬ／ｗｅｌｌ）をアプライした。その後、室温で１時間以上インキュベートし、２次抗体を除去後、１％ＦＢＳ／ＰＢＳ（−）を用いてウェルを３回洗浄した。洗浄後、５０μＬ／ｗｅｌｌのＴＭＢ試薬を加え、室温で１０分間反応後、２５μＬ／ｗｅｌｌの１Ｎ  Ｈ２ＳＯ４を加え、酵素反応を停止した。反応停止後、４５０ｎｍにおいてＯＤを測定した。
上記を１次スクリーニングとし、抗原反応性が認められた抗体を産生するハイブリドーマについて、抗原反応性を指標にクローニングを行った。これらの結果より、ＦＧＦＲ５に対する反応性を有する、６つの抗体クローン（Ｒ５Ｃ７−１０；Ｒ５Ｄ９−２６；Ｒ５Ｄ１０−２３；Ｒ５Ｄ１３−２４；Ｒ５Ｄ１４−１９；Ｒ５Ｄ２１−５）を選択した。
（考察）
本実験の結果より、ＦＧＦＲを強制発現させた細胞を用いるアッセイ系は、ＦＧＦＲと試験化合物との親和性を測定するためのアッセイ系として使用できることが、明らかとなった。
（実施例１２：ＦＧＦＲ−５における、抗ＦＧＦＲ−５モノクローナル抗体が結合する部位（エピトープ）の解析）
（概略）
各Ｉｇ  ｌｏｏｐ欠損型ＦＧＦＲ５発現ベクターを調製し、これをＣＨＯ細胞に一過性発現を行い、実施例１１で得られた抗体（Ｒ５Ｃ７−１０；Ｒ５Ｄ９−２６；Ｒ５Ｄ１０−２３；Ｒ５Ｄ１３−２４；Ｒ５Ｄ１４−１９；Ｒ５Ｄ２１−５）の各Ｉｇ  ｌｏｏｐ欠損型ＦＧＦＲ５への反応性を評価した。これにより各抗体の反応するＩｇ  ｌｏｏｐの確定を行った。また、同時にＦＬＡＧ挿入体への反応性を評価した結果、ＦＬＡＧ未挿入体では反応性が見られたが、ＦＬＡＧ挿入体において反応性が消失する抗体が確認された。このため、これらの抗体はＦＬＡＧ挿入部位近傍に反応性を有すると推定し、これらの抗体のうち反応性の高いもの（Ｒ５Ｄ１０−２３、Ｒ５Ｄ１４−１９）及びＦＬＡＧの挿入の有無に関わらず１ｓｔ  ｌｏｏｐに反応する抗体（Ｒ５Ｃ７−１０）についてビオチン化を行い、ビオチン化抗体に対しての各抗体の結合阻害能を評価し、エピトープについての推定を行った。
（材料）
試薬：ｐＥＦ１／ＦＧＦＲ５；
ｐｒｉｍｅｒ（日本バイオサービス）；
（プラスミド側配列）
１．ＴＡＡ  ＴＡＣ  ＧＡＣ  ＴＣＡ  ＣＴＡ  ＴＡＧ  ＧＧＡ  ＧＡＣ  ＣＣＡ  ＡＧＣ  ＴＧＧ  ＣＴＡ  ＧＧＴ  ＡＡＧ  ＣＴＴ  ＧＧＴ  Ａ（配列番号１０）
２．ＧＣＴ  ＴＧＧ  ＴＡＣ  ＣＧＡ  ＧＣＴ  ＣＧＧ  ＡＴＣ  ＣＧＣ（配列番号１１）
（Ｂ  ｔｙｐｅ作製用）
３．ＣＴＣ  ＣＴＴ  ＣＣＣ  ＴＧＧ  ＧＣＴ  ＡＡＴ  ＧＴＣ  ＡＴＣ  ＴＣＧ  ＧＧＣ  ＧＧＣ  ＧＧＣ  ＧＧＣ  ＣＧＧ  ＴＧＧ  ＧＡＡ（配列番号１２）
４．ＧＡＴ  ＧＡＣ  ＡＴＴ  ＡＧＣ  ＣＣＡ  ＧＧＧ  ＡＡＧ  ＧＡＧ（配列番号１３）
（Ｃ  ｔｙｐｅ作製用）
５．ＴＣＧ  ＴＧＣ  ＣＣＡ  ＣＴＧ  ＣＴＧ  ＧＣＴ  ＧＧＣ  ＧＧＧ  ＴＣＧ  ＧＧＣ  ＧＧＣ  ＧＧＣ  ＧＧＣ  ＣＧＧ  ＴＧＧ  ＧＡＡ（配列番号１４）
６．ＣＣＣ  ＧＣＣ  ＡＧＣ  ＣＡＧ  ＣＡＧ  ＴＧＧ  ＧＣＡ  ＣＧＡ（配列番号１５）
（Ｄ  ｔｙｐｅ作製用）
７．ＣＡＣ  ＣＴＴ  ＧＴＡ  ＧＧＴ  ＧＧＣ  ＧＴＴ  ＧＡＴ  ＧＧＣ  ＴＣＧ  ＧＧＣ  ＧＧＣ  ＧＧＣ  ＧＧＣ  ＣＧＧ  ＴＧＧ  ＧＡＡ（配列番号１６）
８．ＧＣＣ  ＡＴＣ  ＡＡＣ  ＧＣＣ  ＡＣＣ  ＴＡＣ  ＡＡＧ  ＧＴＧ（配列番号１７）
（Ｂ，Ｃ  ｔｙｐｅ  ＦＬＡＧ挿入用）
９．ＴＴＴ  ＡＴＣ  ＧＴＣ  ＡＴＣ  ＧＴＣ  ＴＴＴ  ＧＴＡ  ＧＴＣ  ＣＣＡ  ＣＴＧ  ＣＴＧ  ＧＣＴ  ＧＧＣ  ＧＧＧ（配列番号１８）
１０．ＧＡＣ  ＴＡＣ  ＡＡＡ  ＧＡＣ  ＧＡＴ  ＧＡＣ  ＧＡＴ  ＡＡＡ  ＧＣＡ  ＣＧＡ  ＣＣＧ  ＣＧＣ  ＴＴＣ  ＡＣＡ（配列番号１９）
（Ｄ  ｔｙｐｅ  ＦＬＡＧ挿入用）
１１．ＴＴＴ  ＡＴＣ  ＧＴＣ  ＡＴＣ  ＧＴＣ  ＴＴＴ  ＧＴＡ  ＧＴＣ  ＧＡＴ  ＣＡＣ  ＡＴＣ  ＣＡＣ  ＣＴＴ  ＧＴＡ（配列番号２０）
１２．ＧＡＣ  ＴＡＣ  ＡＡＡ  ＧＡＣ  ＧＡＴ  ＧＡＣ  ＧＡＴ  ＡＡＡ  ＣＡＧ  ＣＧＧ  ＡＣＣ  ＣＧＴ  ＴＣＣ  ＡＡＧ（配列番号２１）；
Ｈａｍ’ｓ  Ｆ１２（ＧＩＢＣＯ  ＢＲＬ  Ｃａ＃１１７６５−０５４）；
Ｐｅｎｉｃｉｌｌｉｎ／ｓｔｒｅｐｔｏｍｙｃｉｎ（ＳＩＧＭＡ  Ｃａ＃１０３Ｋ２４３０）；
ＰＢＳ（−）（Ｎｉｋｋｅｎ  Ｃａ＃ＣＭ６２０１）；
ＦＢＳ（ＣＣＴ  Ｃａ＃３００８−５０２）；
抗マウスＩｇ−ＰＥ標識２次抗体（Ｐｈａｒｍｉｎｇｅｎ  ＢＤ）；
ＧｅｎｅＪａｍｍｅｒ  Ｔｒａｎｓｆｅｃｔｉｏｎ  ｒｅａｇｅｎｔ（ＳＴＲＡＴＡＧＥＮＥ  Ｃａ＃２０４１３０−２１）；
３０％  ＢＳＡ（Ｓｉｇｍａ）；
Ｂｉｏｔｉｎ  ｌａｂｅｌｉｎｇ  ｋｉｔ（Ｒｏｃｈｅ  Ｄｉａｇｎｏｓｔｉｃｓ）；
ｓｔｒｅｐｔ−ａｖｉｄｉｎｅ−ＰＥ  ｃｏｎｊｕｇａｔｅｄ（Ｐｈａｒｍｉｎｇｅｎ  ＢＤ）
測定機器：ＦＡＣＳｏｒｔ
（方法）
（欠損型ＦＧＦＲ５の構築）
ＦＧＦＲ５（配列番号２２及び２３）から１ｓｔ  Ｉｇ  ｌｏｏｐ（２７番目のグリシンから１１７番目のロイシンまで）を欠損した形（Ｂｔｙｐｅ）、さらに１ｓｔ  Ｉｇ  ｌｏｏｐからａｃｉｄｉｃｂｏｘまで（２７番目のグリシンから１３８番目のアスパラギン酸まで）を欠損した形（Ｃ  ｔｙｐｅ）、１ｓｔ  Ｉｇ  ｌｏｏｐから２ｎｄ  Ｉｇ  ｌｏｏｐまで（２７番目のグリシンから２２８番目のグリシンまで）を欠損した形（Ｄ  ｔｙｐｅ）の３種類のコンストラクトを作製した。Ｂ  ｔｙｐｅ（プライマー１と３；プライマー２と４）、Ｃ  ｔｙｐｅ（プライマー１と５；プライマー２と６）、Ｄ  ｔｙｐｅ（プライマー１と７；プライマー２と８）の組み合わせで、１回目のＰＣＲ反応を実施した。反応条件は９４℃で１分間、５５℃で１分間、６８℃で１分間を１サイクルとして、３５サイクル繰り返した。
（ＦＬＡＧ挿入欠損型ＦＧＦＲ５の構築）
作製したそれぞれのタイプの欠損型ＦＧＦＲ５発現プラスミドを鋳型としてＦＬＡＧの挿入を実施した。ＦＬＡＧタグは、Ｂ  ｔｙｐｅ、Ｃ  ｔｙｐｅでは１４４番目のトリプトファンと１４５番目のアラニンの間に、Ｄ  ｔｙｐｅでは２３９番目のイソロイシンと２４０番目のグルタミンの間に挿入した（アミノ酸の位置に関しては、配列番号２２及び２３を参照のこと）。Ｂ，Ｃ  ｔｙｐｅ（プライマー１と９、プライマー２と１０）、Ｄ  ｔｙｐｅ（プライマー１と１１、プライマー２と１２）の組み合わせで、１回目のＰＣＲ反応を実施した。反応条件は９４℃で１分間、５５℃で１分間、６８℃で１分間を１サイクルとして、３５サイクル繰り返した。
（ＣＨＯ細胞への一過性過剰発現）
調製した発現ベクター１μｇを、前日に１．５Ｘ１０５ｃｅｌｌｓ／６ｗｅｌｌ  ｄｉｓｈで播種したＣＨＯ細胞に、ＧｅｎｅＪａｍｍｅｒ  ｔｒａｎｓｆｅｃｔｉｏｎ試薬を用い、メーカーのインストラクションに従い導入した。
（一過性過剰発現ＣＨＯ細胞に対する抗体反応性評価）
得られた欠損型及びＦＬＡＧ挿入欠損型ＦＧＦＲ５一過性発現ＣＨＯ細胞を、ＰＢＳ（−）で洗浄後、５ｍＭ  ＥＤＴＡ及び０．５％ＢＳＡ含有ＰＢＳ（−）を用いてピペッティングにより、細胞をディッシュから浮遊させて回収した。回収後、０．５％ＢＳＡ含有ＰＢＳ（−）を用いて細胞を洗浄し、得られた抗ＦＧＦＲ５モノクローナル抗体（５μｇ／ｍＬ）を含む０．５％ＢＳＡ含有ＰＢＳ（−）に細胞を懸濁し、４℃にて抗体反応を１時間行った。反応後、０．５％ＢＳＡ含有ＰＢＳ（−）を用いて細胞を２回洗浄し、０．５％ＢＳＡ含有ＰＢＳ（−）で４００倍に希釈した抗マウスＩｇ−ＰＥ標識２次抗体と、４℃にて抗体反応を１時間行った。反応後、０．５％ＢＳＡ含有ＰＢＳ（−）を用いて細胞を２回洗浄し、ＦＡＣＳｏｒｔにて細胞の有する蛍光強度を評価した。
（抗体のビオチン化）
上記で選定した抗体を、メーカーのインストラクションに従い、ビオチンにより標識を行った。
（ビオチン化抗体の未標識抗体による結合阻害評価）
ＦＧＦＲ５一過性発現ＣＨＯ細胞をＰＢＳ（−）で洗浄後、５ｍＭ  ＥＤＴＡ及び０．５％ＢＳＡ含有ＰＢＳ（−）を用いてピペッティングにより、細胞をディッシュから浮遊させて回収した。回収後、０．５％ＢＳＡ含有ＰＢＳ（−）を用いて細胞を洗浄し、得られた抗ＦＧＦＲ５モノクローナル抗体（１μｇ／ｍＬ）を含む０．５％ＢＳＡ含有ＰＢＳ（−）に細胞を懸濁し、４℃にて抗体反応を１時間行った。反応後、０．５％ＢＳＡ含有ＰＢＳ（−）を用いて細胞を２回洗浄し、０．５％ＢＳＡ含有ＰＢＳ（−）で希釈したビオチン化抗ＦＧＦＲ５抗体（５μｇ／ｍＬ）と、反応を４℃にて、１時間行った。反応後、０．５％ＢＳＡ含有ＰＢＳ（−）を用いて、細胞を２回洗浄し、０．５％ＢＳＡ含有ＰＢＳ（−）で８００倍に希釈したｓｔｒｅｐｔ−ａｖｉｄｉｎｅ−ＰＥ  ｃｏｎｊｕｇａｔｅｄと、４℃にて抗体反応を１時間行った。反応後、０．５％ＢＳＡ含有ＰＢＳ（−）を用いて細胞を２回洗浄し、ＦＡＣＳｏｒｔにて細胞の有する蛍光強度を評価した。
（結果）
結果を表２及び表３に示す。
【表２】
2006011686.tif 000006
ＦＬＡＧ挿入により反応性が消失したＲ５Ｄ１０−２３及びＲ５Ｄ１４−１９を、ＦＬＡＧ挿入部位近傍に反応性を有する抗体としてビオチン化した。また、１ｓｔｌｏｏｐに反応する抗体として、Ｒ５Ｃ７−１０についてもビオチン化を行った。
【表３】
2006011686.tif 000007
上記の結果から、ＦＬＡＧ挿入部位を基準とし、エピトープの推定を行うと、Ｒ５Ｃ７−１０はＦＬＡＧ挿入部位に近い側の１ｓｔ  ｌｏｏｐ上；Ｒ５Ｄ９−２６は、ＦＬＡＧ挿入部位近傍のＮ末側；Ｒ５Ｄ１０−２３はＦＬＡＧ挿入部位近傍のＲ５Ｄ９−２６認識部位よりもＣ末側；Ｒ５Ｄ１３−２４は１ｓｔ  ｌｏｏｐ上のＲ５Ｃ７−１０より遠位のＮ末側；Ｒ５Ｄ１４−１９は、ＦＬＡＧ挿入部位近傍のＲ５Ｄ１０−２３認識部位よりもＣ末側；及びＲ５Ｄ２１−５は１ｓｔ  ｌｏｏｐ上であることが推定された（図１２）。
（実施例１３：抗ＦＧＦＲ−５モノクローナル抗体の、ＨＣＶのシュードタイプウイルスのＨｅｐＧ２細胞への感染性に対する影響）
（材料）
細胞：ＨｅｐＧ２
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、抗ＦＧＦＲ−５モノクローナル抗体Ｒ５Ｃ７−１０、抗ＦＧＦＲ−５モノクローナル抗体Ｒ５Ｄ１４−１９
（方法）
ＨｅｐＧ２を、８ｘ１０３ｃｅｌｌｓ／ｗｅｌｌ／８０μｌ／９６ｗｅｌｌ  ｐｌａｔｅにて播種後、３７℃、５％ＣＯ２でＯ／Ｎ培養した。製造例４に従って作製した抗ＦＧＦＲ−５抗体Ｒ５Ｃ７−１０およびＲ５Ｄ１４−１９をＰＢＳ中にて終濃度の１０倍に調製した。
調製した一連の濃度のＲ５Ｃ７−１０、Ｒ５Ｄ１４−１９、ならびにＲ５Ｃ７−１０とＲ５Ｄ１４−１９との混合物（各々、図１０（Ｃ）の横軸に示した濃度であり、抗体濃度合計としては、図１０（Ｃ）横軸の２倍濃度である）を各々１０μｌ、細胞に添加し穏やかに混合した後、細胞と抗体とを３７℃、５％ＣＯ２にて１時間反応させた。またコントロールとしてＰＢＳ  １０μｌを細胞に添加して、３７℃、５％ＣＯ２にて１時間静置した。その後各細胞に、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを接種した。これらの細胞を３７℃、５％ＣＯ２にて２４時間培養後、Ｒｅｐｏｒｔｅｒ  Ａｓｓａｙ  Ｋｉｔのインストラクションに従って、培養上清中のＳＥＡＰ量を測定し、各濃度のＦＧＦＲ−５／Ｆｃによるウイルスの細胞感染の阻害率（％）を、ウイルスのみを接種した細胞のＳＥＡＰ量を基準として算出した。
（結果）
本実験の結果、図１０に示すように、抗ＦＧＦＲ−５抗体Ｒ５Ｃ７−１０およびＲ５Ｄ１４−１９により、用量依存的に、ΔＧ／ＳＥＡＰ／ＨＣＶ  Ｅ１Ｅ２のＨｅｐＧ２細胞への感染は阻害された。Ｒ５Ｃ７−１０及びＲ５Ｄ１４−１９は、それぞれ単独では、最大約５０％の感染阻害活性を示し、これら２つの抗体を混和した場合には、最大で約７０％の感染阻害活性を示した。このことから、ＦＧＦＲとの親和性を測定して（例えば、上記実施例１１の方法を用いて測定される）、該親和性を有するものとして選択または判定される化合物（例えば、上記実施例１１で得られる抗体）の少なくとも一部は、ＨＣＶの細胞感染を阻害する化合物であることが示された。また、ＦＧＦＲとの親和性またはＦＧＦＲとＨＣＶとの結合に対する遮断能を有する化合物（例えば、ＦＧＦＲに対する抗体、特にＦＧＦＲ−５に対する抗体、なかでも抗ＦＧＦＲ−５モノクローナル抗体）は、ＨＣＶの細胞感染阻害剤としてＣ型肝炎の予防又は治療に利用できる可能性も示された。
（実施例１４：抗ＦＧＦＲ−５モノクローナル抗体の、ＨＣＶのシュードタイプウイルスの初代培養ヒト肝細胞への感染性に対する影響）
（材料）
細胞：初代培養ヒト肝細胞
ウイルス：ΔＧ／ＳＥＡＰ／ＨＣＶ  Ｅ１Ｅ２、ΔＧ／ＳＥＡＰ／ＶＳＶ  Ｇ
試薬：Ｄ−ＭＥＭ  ｈｉｇｈ  ｇｌｕｃｏｓｅ（日研生物）、ＦＢＳ（ＣＴＴ）、Ｒｅｐｏｒｔｅｒ  Ａｓｓａｙ  Ｋｉｔ−ＳＥＡＰ−（ＴＯＹＯＢＯ  ＳＡＫ−１０１  Ｌｏｔ．３１６１００）、抗ＦＧＦＲ−５モノクローナル抗体Ｒ５Ｃ７−１０
（方法）
初代培養ヒト肝細胞を、８ｘ１０３ｃｅｌｌｓ／ｗｅｌｌ／８０μｌ／９６ｗｐにて播種後、３７℃、５％ＣＯ２でＯ／Ｎ培養した。製造例４に従って作製した抗ＦＧＦＲ−５抗体Ｒ５Ｃ７−１０（Ｒ５Ｃ７−１０）をＰＢＳ中にて終濃度の１０倍に調製した。次いで、調製した一連の濃度のＲ５Ｃ７−１０  １０μｌを細胞に添加し穏やかに混合した後、細胞と抗体とを３７℃、５％ＣＯ２にて１時間反応させた。またコントロールとしてＰＢＳ  １０μｌを細胞に添加して、３７℃、５％ＣＯ２にて１時間静置した。その後各細胞に、１ｘ１０９ｇｅｎｏｍｅ／１０μｌのΔＧ／ＳＥＡＰ／ＨＣＶ  Ｅ１Ｅ２または１ｘ１０７ｇｅｎｏｍｅ／１０μｌのΔＧ／ＳＥＡＰ／ＶＳＶ  Ｇを接種した。これらの細胞を３７℃、５％ＣＯ２にて２４時間培養後、Ｒｅｐｏｒｔｅｒ  Ａｓｓａｙ  Ｋｉｔのインストラクションに従って、培養上清中のＳＥＡＰ量を測定し、各濃度のＦＧＦＲ−５／Ｆｃ処理細胞におけるウイルスの感染率（％）を、ウイルスのみを接種した細胞のＳＥＡＰ量を基準として算出した。
（結果および考察）
本実験の結果、図１１に示すように、抗ＦＧＦＲ−５抗体Ｒ５Ｃ７−１０により、用量依存的に、ΔＧ／ＳＥＡＰ／ＨＣＶ  Ｅ１Ｅ２の初代培養ヒト肝細胞への感染は阻害された。このことから、ＦＧＦＲとの親和性を測定して（例えば、上記実施例１１の方法を用いて測定される）、該親和性を有するとして選択または判定される化合物（例えば、上記実施例１１の方法を用いて得られる抗体）の少なくとも一部は、ＨＣＶの細胞感染を阻害する化合物であることが示された。また、ＦＧＦＲとの親和性またはＦＧＦＲとＨＣＶとの結合に対する遮断能を有する化合物（例えば、ＦＧＦＲに対する抗体、特にＦＧＦＲ−５に対する抗体、なかでも抗ＦＧＦＲ−５モノクローナル抗体）は、ＨＣＶの細胞感染阻害剤としてＣ型肝炎の予防又は治療に利用できる可能性も示された。
【産業上の利用可能性】  本発明のスクリーニング方法及び同定方法は、線維芽細胞成長因子レセプター（ＦＧＦＲ）とＣ型肝炎ウイルス（ＨＣＶ）との間の相互作用を阻害することによってＨＣＶの細胞感染を阻害する、新規作用機序の医薬を開発するために有用である。
本出願は、日本特許出願、特願２００４−２２４７４１及び特願２００４−２９０１０６、ならびに米国仮特許出願、ＵＳ６０／６０５，２９８及びＵＳ６０／６１８，２３８を基礎としており、その内容は全て本明細書に包含される。
【図１】
2006011686.tif 000008
【図２】
2006011686.tif 000009
【図３】
2006011686.tif 000010
【図４】
2006011686.tif 000011
【図５】
2006011686.tif 000012
【図６】
2006011686.tif 000013
【図７】
2006011686.tif 000014
【図８】
2006011686.tif 000015
【図９】
2006011686.tif 000016
【図１０】
2006011686.tif 000017
【図１１】
2006011686.tif 000018
【図１２】
2006011686.tif 000019
【配列表】
2006011686000001.xml
【国際調査報告】
2006011686.tif 000057
2006011686.tif 000058
2006011686.tif 000059
2006011686.tif 000060
2006011686.tif 000061
2006011686.tif 000062
2006011686.tif 000063